【手続補正書】
【提出日】令和1年8月20日(2019.8.20)
【手続補正１】
【補正対象書類名】特許請求の範囲
【補正対象項目名】請求項２
【補正方法】変更
【補正の内容】
【請求項２】
前記識別情報読取部で読み取られた前記識別情報に対応した前記文書フォーム情報を前記通信ネットワークを介して取得する要求を行うとともに、前記文書フォーム情報の取得要求に応答して上記識別情報に対応した前記文書フォーム情報を受信する通信部を備えており、
前記判別部は、前記通信部を通じて受信された前記文書フォーム情報が前記表示部に表示可能か否かを判別することを特徴とする請求項１に記載の手書き情報入力装置。
【手続補正２】
【補正対象書類名】特許請求の範囲
【補正対象項目名】請求項３
【補正方法】変更
【補正の内容】
【請求項３】
前記判別部の判別結果に基づいて、前記電子ペンによる位置指示入力の処理が有効となったことを報知する報知部を備えることを特徴とする請求項１に記載の手書き情報入力装置。
【手続補正３】
【補正対象書類名】明細書
【補正対象項目名】全文
【補正方法】変更
【補正の内容】
【発明の詳細な説明】
【発明の名称】手書き情報入力装置及び手書き情報入力方法
【技術分野】
【０００１】
この発明は、用紙への筆記と共に、当該用紙へ筆記された情報を取得可能な手書き情報入力装置及び手書き情報入力方法に関する。
【背景技術】
【０００２】
用紙にボールペンや鉛筆などの筆記具で手書き入力を行う代わりに、電子ペンなどを用いて、電子ペンの指示位置を検出するセンサを備えた位置検出部を有するタブレット端末などの入力装置に入力することで、電子ペンを使って入力した手書き情報を電子データとして記憶することが、ペーパーレス化の要求に伴い、一般的になってきている。
【０００３】
しかしながら、用紙に筆記具で手書き入力をする機会がなくなった訳ではなく、種々の状況で用紙への手書き入力が要求され、しかもその筆記された用紙を保存したいとする要望が依然として多々あるのが現状である。
【０００４】
そのため、センサを備えた位置検出部の入力面上に載置した用紙に、ボールペンや鉛筆などの筆記具や、芯体にボールペン機能を持たせた電子ペンなどを使用して、手書き入力をしたときに、その手書き入力された筆記情報を、位置検出部で検出して、電子データとして記憶することができるようにした入力装置が従来から提供されている。
【０００５】
例えば特許文献１（特開２００６−１０７１２４号公報）には、ワープロソフトなどにより原稿を作成し、その原稿を用紙に印刷したときに、タブレットの記憶部に、その印刷した原稿の画像データを記憶しておき、その原稿を印刷した用紙に、筆記具で加筆したときには、タブレットの座標入力部でその電子的な筆記軌跡（座標データ）を検出して前記記憶部に記憶することが記載されている。これにより、特許文献１においては、記憶部に記憶された座標データと原稿の画像データとを合成することで、加筆された印刷原稿と同様の電子化された文書を得ることができるようにしている。
【０００６】
また、特許文献２（特開２０１０−１０２３６８号公報）には、ドットパターンを備えたフォームが印刷された専用用紙にデジタルペンにより手書きする操作に基づいて、手書き情報または筆跡情報を収集し、手書き情報によって個人情報を認証すると共に、手書き情報を利用する手書き情報処理システムが開示されている。
【先行技術文献】
【特許文献】
【０００７】
【特許文献１】特開２００６−１０７１２４号公報
【特許文献２】特開２０１０−１０２３６８号公報
【発明の概要】
【発明が解決しようとする課題】
【０００８】
ところで、用紙に筆記具で手書き入力をする状況としては、予め既定の文書やマークや画像などが配置されているとともに、１または複数の手書き情報の入力領域が、空欄（空き領域）として配置されて形成された文書フォームを印刷した用紙が用いられる場合が多い。
【０００９】
例えば病院などでは、問診票、手術や検査の際の同意書や承諾書、回診記録書など多種多様な文書フォームが存在し、その文書フォームには、名前、住所、署名などの入力領域が存在し、患者、看護師、医師など、特定の人に限って手書き入力すべき入力領域も存在
する。
【００１０】
従来、一般的には、これら多種多様な文書フォームの用紙に手書き入力された手書き情報は、例えばオペレータがパソコンなどのワープロ機能を用いて、電子化されている文書フォームの入力領域に転記することで電子データ化したり、用紙に手書き入力された手書き情報をＯＣＲ（Optical Character Recognition）装置などにより読み込んで、電子デ
ータ化して、電子化されている文書フォームに合成したりする処理を行っている。このため、多大のコストがかかるという問題があった。
【００１１】
そこで、このような多種多様な文書フォームが印刷される用紙のそれぞれの手書き情報の入力領域に手書き情報を入力したときに、当該手書き情報が入力された用紙と同じ内容、すなわち、印刷された文書フォームと手書き情報の電子化データとが得られる、上述したような入力装置があれば、上述のようなオペレータの再入力処理や、ＯＣＲ装置を用いた電子化処理が不要になり、コストを低減することができて、非常に便利である。
【００１２】
しかし、上述した特許文献１の入力装置であるタブレットでは、文書フォームの原稿を用紙に印刷したときに、その印刷された原稿の画像データを記憶しておく記憶部が必須である。したがって、多種多様な文書フォームが存在するときには、その原稿の画像データの全てを記憶部に記憶しておかなければならず、記憶部として大容量のものが必要となる。
【００１３】
また、特許文献１では、タブレットに載置して手書き入力がなされる用紙の原稿のフォームの画像データが記憶部に記憶されていることが前提であるため、タブレットに載置される用紙が、記憶部に記憶されているフォームが印刷された用紙であるか否かを確認する手段を有しない。このため、記憶部に原稿のフォームの画像データが記憶されていない用紙が、タブレットに載置されて、その用紙に手書き情報が入力された場合、当該手書き情報が入力された用紙と同じ内容の電子化データが得られず、当該入力装置の当初の目的を達成することができないという問題もある。
【００１４】
また、特許文献２のデジタルペンのフォーム管理システムの場合には、ドットパターンを用いた専用の用紙を用いなければならず、また、その用紙のドットパターンを認識することができる特殊なデジタルペンを用いる必要があり、かえって、余分のコストがかかってしまい、これを上述のような手書き情報の入力が必要になる一般的な状況において用いることは現実的ではないという問題がある。
【００１５】
また、この特許文献２の場合にも、用紙が、データベースにフォームが格納されている専用用紙であるか否かの確認手段が存在しないので、もしも、用紙が、データベースに記憶されているフォームとアノト方式の座標情報パターン（ドットパターン）とが合成されて印刷されている専用用紙でない場合には、その用紙に手書き情報が入力されたとしても、当該手書き情報が入力された用紙と同じ内容の電子化データが得られず、当初の目的を達成することができないという問題もある。
【００１６】
この発明は、以上の問題点を解決することができるようにした手書き情報入力装置を提供することを目的とする。
【課題を解決するための手段】
【００１７】
上記の課題を解決するために、本発明は、
手書き入力のための書き込み領域が設けられた文書フォームが印刷されていると共に、前記文書フォームを識別するための識別情報が印刷されている用紙が載置される載置面と、
用紙に視認可能に手書き可能な電子ペンによって、前記載置面に載置された前記用紙への手書き入力操作にともなって前記電子ペンが指示する位置の情報を検出する位置検出部と、
前記用紙に印刷されている前記識別情報を読み取る識別情報読取部と、
表示部と、
前記識別情報読取部で読み取られた前記識別情報に基づいて、前記文書フォームが印刷された前記用紙に対応した文書フォーム情報を前記表示部に表示させるための前記文書フォーム情報の、通信ネットワークを介しての取得可否を判別する判別部を備え、
前記判別部の判別結果に基づいて、前記文書フォーム情報が前記通信ネットワークを介して取得可能である場合には、前記表示部に前記通信ネットワークを介して取得された前記文書フォーム情報を表示させると共に前記位置検出部で検出された前記電子ペンが指示する位置の情報を表示可能と成し、前記通信ネットワークを介して前記文書フォーム情報が取得できない場合には、前記表示部に前記位置検出部で検出された前記電子ペンが指示する位置の情報を表示不可としたことを特徴とする手書き情報入力装置を提供する。
【００１８】
上述の構成の発明による手書き情報入力装置は、載置面に載置された用紙に印刷されている識別情報を読取部で読み取り、当該読み取った識別情報に基づいて、対応する文書フォームを取得して表示部の表示画面に表示するようにする。この際に、判別部は、識別情報に対応する文書フォームが取得できたか否かを、表示部の表示画面への表示可否で判別し、表示できたと判別したときには、位置検出部における電子ペンによる手書き情報の入力処理を可能とする。
【００１９】
すなわち、判別部は、所定の文書フォームが印刷されている用紙の手書き情報の入力領域へ手書き入力が行われる前に、用紙に印刷されている文書フォームの電子化データが存在するか否かを判別し、その判別結果により、手書き情報の入力処理の可否を制御する。
【００２０】
したがって、この発明の手書き情報入力装置によれば、文書フォームが表示部の表示画面に表示されて、対応する文書フォームの電子データが得られたことを確認できた後に、用紙への手書き情報の入力を受け付けることができる。このため、手書き情報が入力された用紙と同じ内容の電子化データが確実に得られるという手書き情報入力装置の当初の目的を達成することができる。
【００２１】
そして、この場合に、手書き情報入力装置は、文書フォームの電子データは、予め記憶部に記憶しておくのではなく、読取部で読み取られた識別情報に基づいて取得するようにするので、文書フォームは汎用性が高く、また大容量の記憶部を備えている必要はない。
【００２２】
また、読取部で読み取られた識別情報により、用紙に印刷されている文書フォームと、その文書フォームの電子データとの対応付けが容易であるので、用紙に印刷されている文書フォームの入力領域に電子ペンにより手書き入力された手書き情報の電子化データと、文書フォームの電子データとの合成も容易にできる。このため、特許文献２のようなドットパターンを用いる専用用紙や専用用紙専用のデジタルペンを用いる必要もない。
【発明の効果】
【００２３】
この発明によれば、所定の文書フォームが印刷されている用紙の、手書き情報の入力領域へ手書き情報が入力される前に、用紙に印刷されている文書フォームの電子化データの存在を確認することができるので、手書き情報が入力された用紙と同じ内容の電子化データが確実に得られるという手書き情報入力装置の当初の目的を達成することができる。
【図面の簡単な説明】
【００２４】
【図１】この発明による手書き情報入力装置の実施形態を含むシステムの構成例を示す図である。
【図２】図１の例のシステムを構成するサーバ装置の構成例を示すブロック図である。
【図３】図１の例のシステムを構成するサーバ装置の処理動作例を説明するためのフローチャートを示す図である。
【図４】図１の例のシステムを構成するサーバ装置でのペーパーフォームの登録処理を説明するためのフローチャートを示す図である。
【図５】この発明による手書き情報入力装置の実施形態において用いられる手書き情報入力用紙の例を説明するための図である。
【図６】図１の例のシステムを構成するサーバ装置が備えるペーパーフォームデータベースを説明するための図である。
【図７】図１の例のシステムを構成するサーバ装置の処理動作例を説明するためのフローチャートを示す図である。
【図８】図１の例のシステムを構成するサーバ装置の処理動作例を説明するためのフローチャートを示す図である。
【図９】この発明による手書き情報入力装置の実施形態を構成するタブレット端末の外観を示す図である。
【図１０】この発明による手書き情報入力装置の実施形態を構成するタブレット端末の構造を説明するための分解図である。
【図１１】この発明による手書き情報入力装置の実施形態を構成するタブレット端末及び電子ペンの電気回路構成例を示す図である。
【図１２】この発明による手書き情報入力装置の実施形態を構成するタブレット端末の処理動作例を説明するためのフローチャートの一部を示す図である。
【図１３】この発明による手書き情報入力装置の実施形態を構成するタブレット端末の処理動作例を説明するためのフローチャートの一部を示す図である。
【図１４】この発明による手書き情報入力装置の実施形態を構成するタブレット端末の処理動作例を説明するためのフローチャートの一部を示す図である。
【図１５】この発明による手書き情報入力装置の実施形態を構成するモバイル端末の構成例を示すブロック図である。
【図１６】この発明による手書き情報入力装置の実施形態を構成するモバイル端末の処理動作例を説明するためのフローチャートの一部を示す図である。
【図１７】この発明による手書き情報入力装置の実施形態を構成するモバイル端末の処理動作例を説明するためのフローチャートの一部を示す図である。
【図１８】この発明による手書き情報入力装置の実施形態を構成するモバイル端末の他の例の処理動作例を説明するためのフローチャートを示す図である。
【図１９】この発明による手書き情報入力装置の実施形態を構成するモバイル端末の他の例の処理動作例を説明するためのフローチャートを示す図である。
【図２０】手書き情報入力装置を構成するモバイル端末の他の例の処理動作例を説明するための図である。
【図２１】この発明による手書き情報入力装置の実施形態を構成するタブレット端末の他の例の要部を説明するための図である。
【発明を実施するための形態】
【００２５】
以下、この発明による手書き情報入力装置及び手書き情報入力方法の実施形態を、図を参照しながら説明する。
【００２６】
図１は、この発明による手書き情報入力装置の実施形態を含む手書き情報管理システムの一例の構成例の概要を示す図である。この手書き情報管理システムは、文書フォーム及び手書き情報管理サーバ装置（以下、単にサーバ装置という）１と、プリンタ２と、手書き情報を入力するためのタブレット端末３と、このタブレット端末３に対して手書き情報
を入力するための電子ペン４と、タブレット端末３と通信を行うモバイル端末５とからなる。なお、モバイル端末５は、タブレット端末３で入力された手書き情報に基づく信号処理を行うとともに、サーバ装置１と通信ネットワーク６を通じて連携処理を行う機能を備えており、タブレット端末３に組み込むこともできる。モバイル端末５とサーバ装置１とは、通信ネットワーク６を通じて接続される。通信ネットワーク６は、インターネットや携帯電話網を含む公衆網を含むもので構成することができる。また、通信ネットワーク６は、Ｗｉ−Ｆｉ（登録商標）を用いる無線ＬＡＮであってもよい。また、通信ネットワーク６は、サーバ装置１とモバイル端末５との間を有線で接続するＬＡＮの構成であってもよい。
【００２７】
このシステムにおいては、所定の文書フォームが印刷されている用紙に手書き情報が入力されたときに、当該手書き情報が入力された用紙と、当該用紙に印刷されている文書フォームに手書きで入力された情報の電子データの両方を、同時に得ることができるようにする。
【００２８】
このシステムの利用者は、希望する文書フォームを作成して、サーバ装置１にそれを登録するようにする。この場合に、利用者は、利用する所定の大きさの用紙に、希望する文書フォームを印刷したものをサーバ装置１に提供して登録要求してもよいし、通信ネットワーク６を通じて、ＰＤＦデータやＪＰＥＧデータやビットマップデータ、あるいはその他のデータ形式の文書データであって、前記文書フォームを含む文書データ（用紙に対応した例えば画像データでもよい）をサーバ装置１に提供して登録要求するようにしてもよい。この例では、用紙の大きさは、後述するタブレット端末３の位置検出部が備えるセンサの位置検出エリアの大きさに対応したものとされ、この例では、Ａ４サイズとされている。
【００２９】
サーバ装置１では、この文書フォームの登録要求を受け付けて、その受け付けた文書フォームに識別情報を付与して、データベースに、必要なデータを登録する。この例の場合、サーバ装置１では、文書フォームを備えた用紙に対して、あるいは複数のページからなる用紙のそれぞれのページが固有の文書フォームを備えている場合にはそれぞれのページに対して、識別情報を付与する。以下、この識別情報をペーパーＩＤという。また、以下の説明においては、文書フォームをペーパーフォームと呼ぶことにする。そして、この例においては、サーバ装置１は、ペーパーフォーム毎に、ペーパーＩＤとしてユニークな識別情報、この例ではバーコードを付与するようにする。
【００３０】
ペーパーフォームのデータとしてサーバ装置１のデータベースに保存するデータには、ペーパーフォームが描画されている用紙や複数ページから構成された用紙の各ページ、およびこれらの用紙あるいはページに対応した印刷用データや表示用データと、ペーパーフォームに対応した手書き情報の入力領域を示す領域座標データ、手書き情報の入力領域に入力すべき情報の属性データなどが含まれる。後述するように、ペーパーフォームに含まれる手書き情報の入力領域を示す領域座標データは、タブレット端末３の位置検出部が備えるセンサの位置検出エリアの座標データに対応するようにされている。
【００３１】
そして、サーバ装置１は、ペーパーフォームを登録した利用者からの印刷要求に応じて、プリンタ２により、その登録されたペーパーフォームが印刷された手書き情報入力用紙８を、利用者に提供する。あるいは、サーバ装置１は、ペーパーフォームを登録した利用者の印刷要求に応じて、その登録されたペーパーフォームの印刷用データを利用者からのパソコンなどに通信ネットワーク６を通じて送信する。この場合には、利用者が自分のパソコンに接続されているプリンタ２により、その登録されたペーパーフォームが印刷された手書き情報入力用紙８を得るようにする。
【００３２】
この場合に、手書き情報入力用紙８には、サーバ装置１で付与されたペーパーＩＤ、この例では、ペーパーＩＤに対応したバーコードが所定の位置に印刷されている。すなわち、図１に示すように、利用者がサーバ装置１にペーパーフォームが印刷されている用紙７を登録する際には、ペーパーＩＤは印刷されていないが、利用者からの印刷要求に応じてプリンタ２により印刷された手書き情報入力用紙８の、この例では、左上端部には、ペーパーＩＤとしてのバーコード８ＢＣが印刷されている。
【００３３】
なお、この例のシステムにおいては、後述するように、サーバ装置１は、登録されたペーパーフォームのそれぞれに対して、手書き入力された手書き情報を対応付けて管理するようにする。このため、サーバ装置１へのペーパーフォームの登録の際には、課金が施される。課金は、１個のペーパーフォーム毎に行ってもよいし、月単位や年単位で、登録されたペーパーフォームの数に関係なく一定額が課金がされる課金契約であってもよい。
【００３４】
ペーパーＩＤとしてのバーコード８ＢＣが印刷されている手書き情報入力用紙８は、この発明の手書き情報入力装置の実施形態において、手書き情報が入力される用紙となる。
【００３５】
この実施形態では、タブレット端末３と、電子ペン４と、モバイル端末５とにより、この発明による手書き情報入力装置の実施形態が構成される。この実施形態では、タブレット端末３と、モバイル端末５とは、近距離無線通信規格、例えばブルートゥース（登録商標）規格の無線通信により接続されている。なお、タブレット端末３と、モバイル端末５とは、その他の近距離無線通信規格で無線接続されていてもよいし、例えばＵＳＢ（Universal Serial Bus）ケーブルにより接続されていてもよい。
【００３６】
また、この実施形態では、電子ペン４とタブレット端末３との間は、電磁誘導方式により信号の授受が可能とされており、後述するように、タブレット端末３では、その位置検出部で電子ペン４によって指示される位置を検出すると共に、電子ペン４からの筆圧情報や識別情報の取得ができるものとされている。以下、電子ペン４のそれぞれを識別するための識別情報をペンＩＤという。
【００３７】
タブレット端末３は、手書き情報入力用紙８を位置検出部の入力面上に形成されている載置面上に係止させるクリップ部材３１を備える。このクリップ部材３１は、この例では、手書き情報入力用紙８の上端の、バーコード８ＢＣが形成されている部分をも含む領域を覆うようにして、手書き情報入力用紙８を押さえて係止させるようにする。そして、このクリップ部材３１の手書き情報入力用紙８と対向する面側には、ペーパーＩＤの読取部を構成するバーコードリーダ３２が設けられている。
【００３８】
そして、この実施形態の電子ペン４は、タブレット端末３の載置面に係止された手書き情報入力用紙８に、ボールペンあるいは鉛筆などを使用した筆記と同様に、筆記する機能を備える。この例では、電子ペン４の芯体をボールペンの替え芯と同様の構成を有するもので構成することで、手書き情報入力用紙８に、ボールペンでの筆記と同じように、視認可能に筆記されるように構成されている。
【００３９】
タブレット端末３には、載置面の裏側にセンサを含む位置検出部が配置されており、電子ペン４のボールペン筆記機能により、手書き情報入力用紙８に筆記されたときには、それと同時に、位置検出部で、その筆記軌跡を、電子ペン４による指示位置の情報（筆記データ）として検出することができるように構成されている。
【００４０】
モバイル端末５は、表示画面を有する表示部を備える情報処理装置であって、この例では、例えばパッド型端末の構成とされている。そして、このモバイル端末５には、予め、このシステムにおいて必要な処理をするためのアプリケーションプログラムがインストー
ルされている。また、同様に、タブレット端末３にも、このシステムにおいて必要な処理をするためのアプリケーションプログラムがインストールされている。
【００４１】
すなわち、タブレット端末３は、クリップ部材３１により手書き情報入力用紙８が係止されたときには、バーコードリーダ３２で、手書き情報入力用紙８に印刷されているペーパーＩＤとしてのバーコード８ＢＣを読み取り、その読み取ったバーコード情報を、モバイル端末５に送出する。
【００４２】
モバイル端末５は、タブレット端末３からバーコード情報を受け取ると、受け取ったバーコード情報を、あるいはバーコード情報に対応したペーパーＩＤ情報を通信ネットワーク６を通じてサーバ装置１に送信する。すると、サーバ装置１は、ペーパーＩＤに対応するペーパーフォームが登録されているかどうかを判別し、登録されていないと判別したときには、その旨をモバイル端末５に返信し、また、登録されていると判別したときには、ペーパーＩＤに対応してデータベースに記憶しているペーパーフォームの表示データをモバイル端末５に返信する。
【００４３】
モバイル端末５は、サーバ装置１からペーパーＩＤに対応するペーパーフォームが登録されていない旨の返信を受けたときには、タブレット端末３に対して、手書き情報を入力するための準備ができていない旨を示す準備未完了情報を送信する。また、モバイル端末５は、サーバ装置１からペーパーＩＤに対応するペーパーフォームの表示データを受け取った時には、その表示データによるペーパーフォームを表示画面に表示すると共に、タブレット端末３に対して手書き情報を入力するための準備ができた旨を示す準備完了情報を送信し、タブレット端末３からのデータの受け付け状態に移行する。
【００４４】
タブレット端末３は、モバイル端末５から準備未完了を示す情報を受信したときには、電子ペン４による指示位置の検出動作は行わず、あるいは、検出した電子ペン４による指示位置の情報をタブレット端末３には送信しない。また、タブレット端末３は、モバイル端末５から準備完了を示す情報を受信したときには、電子ペン４による指示位置の検出に対応して、当該検出した電子ペン４による指示位置の情報を、ペンＩＤや筆圧情報などの付加情報と共に、タブレット端末３に送信する。このとき、電子ペン４による指示位置の情報は、ペーパーフォームの手書き情報の入力領域へ手書き入力された情報である。
【００４５】
そして、タブレット端末３は、利用者からの操作終了指示があると、当該操作終了指示をモバイル端末５に送り、モバイル端末５への電子ペン４による指示位置の情報及びペンＩＤや筆圧情報などの付加情報の送信を終える。
【００４６】
モバイル端末５は、タブレット端末３からの電子ペン４による指示位置の情報及びペンＩＤや筆圧情報などの付加情報を受けると、バッファメモリに格納すると共に、表示画面に、電子ペン４による指示位置の情報に基づく電子ペン４によって手書き入力された情報を表示する。そして、モバイル端末５は、タブレット端末３から操作終了指示を受け取ると、バッファメモリに格納していた、それまでにタブレット端末３から受信した電子ペン４による指示位置の情報（筆記情報）及びペンＩＤや筆圧情報などの付加情報を、ペーパーＩＤに対応付けて、サーバ装置１に送信し、記入済みデータの格納要求をする。このとき、モバイル端末５からサーバ装置１に送信する筆記情報にはタイムスタンプを付加する。これにより、同じペンＩＤに対応付けられた手書き入力情報であっても、タイムスタンプに基づいて筆記情報を時間情報で識別することができるようにしている。
【００４７】
サーバ装置１は、モバイル端末５から受け取ったペーパーＩＤに対応付けられた電子ペン４によって手書き入力された情報を、手書き情報の格納部に、受信したペーパーＩＤに対応付けて記憶する。
【００４８】
サーバ装置１は、利用者から登録情報の提供を要求されると、ペーパーＩＤに関連づけて記憶されている情報を読み出してモバイル端末５に送信する。モバイル端末５では受信した情報を、タイムスタンプに基づいて識別可能に画面に表示させる。利用者は、タイムスタンプに基づいてペーパーフォームに手書きされた情報、あるいはチェックボックスへのチェックなどの手書きでの操作指示を、ペーパーフォームとともに確認することができる。
【００４９】
以上のようにして、この実施形態の手書き情報入力装置においては、ペーパーＩＤに対応するペーパーフォームがサーバ装置１に格納されていることを、モバイル端末５において、サーバ装置１からペーパーフォームのデータを取得可能か否か、換言すればペーパーフォームのデータを表示画面に表示可能か否かに基づいて確認する。そして、この確認がとれたときにのみ、タブレット端末３において、クリップ部材３１により係止された手書き情報入力用紙８への手書き情報の入力処理が可能となるので、手書き情報入力用紙８への手書き情報が入力されたときに、所望する電子データが得られないという事態は生じない。
【００５０】
次に、図１のシステムを構成する各部の詳細について、更に説明する。
【００５１】
［サーバ装置１について］
図２は、サーバ装置１の構成例を示すブロック図である。この例のサーバ装置１は、図２に示すように、コンピュータで構成される制御部１０１に対して、システムバス１００を通じて、通信部１０２、受信情報処理部１０３、ペーパーフォーム登録処理部１０４、ペーパーフォーム表示情報提供部１０５、格納処理部１０６、記入済みペーパー情報提供部１０７、印刷要求処理部１０８、用紙リーダ１０９、バーコードデータベース１１０、ペーパーフォームデータベース１１１、ペーパー記入データメモリ１１２、のそれぞれが接続されて構成されている。
【００５２】
通信部１０２は、通信ネットワーク６を通じてモバイル端末５と接続して、ペーパーフォームの登録、送信などのためのデータ通信を行う。
【００５３】
受信情報処理部１０３は、通信部１０２を通じて受信した受信情報を判別して、その判別結果に応じて受信情報を必要な各部に転送する処理を行う。
【００５４】
ペーパーフォーム登録処理部１０４は、受信情報処理部１０３を通じて、利用者からのペーパーフォーム登録要求を受け付けたときに、後で詳述するようなペーパーフォーム登録受け付け処理を行って、登録を受け付けたペーパーフォームのデータを、ペーパーフォームデータベース１１１に格納する。ペーパーフォーム登録処理部１０４は、登録要求時に受け付けたペーパーフォームのデータから、手書き情報の入力領域を検出するためのデータ処理エンジンを備えている。ペーパーフォームデータベース１１１には、ペーパーフォームを構成するそれぞれの入力領域に対応した属性情報が定義されて登録されている。
【００５５】
それぞれの入力領域(入力項目)には、この入力領域の位置を示す位置情報と、入力領域の属性、あるいは入力領域に入力される情報の属性、すなわち、入力領域への情報入力が必須か否か、入力された入力領域に依存して入力される他の入力領域との依存性、あるいは、入力領域に入力される情報が、テキスト、数字、ブーリアン（真又は偽）、署名であるか否か、あるいはどの国の言語で入力可能であるか否かの属性が関連付けられて登録されている。従って、後述するように、所望するペーパーフォームを使用してタブレット端末３で手書き情報を含む情報の入力を行った際には、モバイル端末５は使用されたペーパーフォームに対応した属性情報をペーパーＩＤに基づいてサーバ装置１のペーパーフォームデータベース１１１から取得し、タブレット端末３から送信された入力情報に対し、ペーパーフォームを構成するそれぞれの入力領域に対応した属性情報を参照することで、入力者（記入者）が使用する電子ペンに割り振られたペンＩＤに基づくそれぞれの入力領域への入力に対する可否権限、特定の入力領域への入力に対してはその他の入力領域への入力が限定的になるなどの入力領域間の依存性、テキスト変換あるいは画像認識する際の認識精度の向上あるいは入力された情報の適切性、などの処理を行うことができる。
【００５６】
ペーパーフォーム表示情報提供部１０５は、受信情報処理部１０３を通じて、モバイル端末５からの手書き情報入力開始要求を受け取った時には、モバイル端末５からのペーパーＩＤに対応してペーパーフォームの表示データを提供する処理を行う。
【００５７】
格納処理部１０６は、受信情報処理部１０３を通じて、モバイル端末５からのペーパーＩＤ及び手書き入力された情報を含む手書き情報格納要求を受け取った時には、モバイル端末５から送信されるペーパーＩＤ及び手書き入力された情報をペーパー記入データメモリ１１２に格納させる処理を行う。
【００５８】
記入済みペーパー情報提供部１０７は、受信情報処理部１０３から転送された記入済みデータ提供要求に応じて、ペーパーＩＤに対応してペーパーフォームデータベース１１１に格納されているペーパーフォームのデータと、ペーパーＩＤに対応してペーパー記入データメモリ１１２に格納されているペーパー記入データ（手書き情報）とを合成して記入済みペーパー情報を生成して、情報要求元に送信する。
【００５９】
印刷要求処理部１０８は、受信情報処理部１０３を通じて、利用者からの、登録されているペーパーフォームの印刷要求を受け付けたときには、その印刷要求に基づいて、手書き情報入力用紙８を生成し、利用者に印刷用として提供する処理を行う。利用者から、手書き情報入力用紙８それ自体の要求があった場合には、印刷要求処理部１０８は、プリンタで印刷するための情報を送信することにより、所望する枚数の手書き情報入力用紙８を印刷して利用者に提供する。
【００６０】
用紙リーダ１０９は、利用者が、利用者が希望するペーパーフォームを印刷した用紙の形態で、ペーパーフォーム登録要求を行ったときに、その用紙を読み取って、ペーパーフォームのデータを形成するための処理部である。
【００６１】
バーコードデータベース１１０は、ペーパーフォームに付与するペーパーＩＤとしてのバーコードの情報を格納している。
【００６２】
ペーパーフォームデータベース１１１は、登録されたペーパーフォームのデータをその属性情報とともに格納する。
【００６３】
ペーパー記入データメモリ１１２は、モバイル端末５から送信される手書き情報を、ペーパーＩＤに対応付けて格納するメモリである。なお、ペーパー記入データメモリ１１２には、ペーパーフォームのデータと、手書き情報入力領域に入力された手書き情報とを合成した情報を、ペーパーＩＤに対応付けて記憶しておくようにしてもよい。その場合には、記入済みペーパー情報提供部１０７は、受信情報処理部１０３から転送されてくる記入済みデータの提供要求からペーパーＩＤを特定して、そのペーパーＩＤに対応する記入済みデータを、ペーパー記入データメモリ１１２から取得して、要求者側に送信するようにする。
【００６４】
なお、受信情報処理部１０３、ペーパーフォーム登録処理部１０４、ペーパーフォーム表示情報提供部１０５、格納処理部１０６、記入済みペーパー情報提供部１０７、印刷要
求処理部１０８の各処理部は、制御部１０１が、ソフトウェアプログラムにより実行する機能処理部の構成とすることができる。
【００６５】
［サーバ装置１の処理動作］
図３は、サーバ装置１の処理動作のメインルーチンを示すフローチャートである。なお、以下のサーバ装置１の処理動作は、制御部１０１が、受信情報処理部１０３、ペーパーフォーム登録処理部１０４、ペーパーフォーム表示情報提供部１０５、格納処理部１０６、記入済みペーパー情報提供部１０７、印刷要求処理部１０８の各処理部を、ソフトウェアプログラムにより実行するソフトウェア機能処理部の構成とした場合として説明する。
【００６６】
先ず、制御部１０１は、ペーパーフォーム登録要求を受け付けたか否か判別し（ステップＳ１０１）、受け付けたと判別したときには、ペーパーフォーム登録処理ルーチンを実行する（ステップＳ１０２）。このペーパーフォーム登録処理ルーチンの詳細については後述する（図４）。このステップＳ１０２のペーパーフォーム登録処理ルーチンを終了すると、制御部１０１は、処理をステップＳ１０１に戻し、このステップＳ１０１以降の処理を繰り返す。
【００６７】
ステップＳ１０１で、ペーパーフォーム登録要求を受け付けてはいないと判別したときには、制御部１０１は、ペーパーフォーム印刷要求を受け付けたか否か判別し（ステップＳ１０３）、受け付けたと判別したときには、ペーパーフォーム印刷要求応答処理ルーチンを実行する（ステップＳ１０４）。このペーパーフォーム印刷要求応答処理ルーチンの詳細については後述する（図７）。このステップＳ１０４のペーパーフォーム印刷要求応答処理ルーチンを終了すると、制御部１０１は、処理をステップＳ１０１に戻し、このステップＳ１０１以降の処理を繰り返す。
【００６８】
ステップＳ１０３で、ペーパーフォーム印刷要求を受け付けてはいないと判別したときには、制御部１０１は、ペーパーＩＤを伴う手書き情報入力開始要求を受信したか否か判別し（ステップＳ１０５）、受信したと判別したときには、手書き情報入力開始要求応答処理ルーチンを実行する（ステップＳ１０６）。この手書き情報入力開始要求応答処理ルーチンの詳細については後述する（図８）。このステップＳ１０６の手書き情報入力開始要求応答処理ルーチンを終了すると、制御部１０１は、処理をステップＳ１０１に戻し、このステップＳ１０１以降の処理を繰り返す。
【００６９】
ステップＳ１０５で、手書き情報入力開始要求を受信してはいないと判別したときには、制御部１０１は、記入済みデータ提供要求を受信したか否か判別し（ステップＳ１０７）、受信したと判別したときには、記入済みデータ提供処理を実行する（ステップＳ１０８）。この記入済みデータ提供処理は、記入済みペーパー情報提供部１０７が行うもので、前述したように、受信情報処理部１０３から転送されてくる記入済みデータ提供要求からペーパーＩＤを特定して、そのペーパーＩＤに対応する記入済みデータを、ペーパー記入データメモリ１１２から取得して、要求者側に送信する処理である。
【００７０】
このステップＳ１０８の記入済みデータ提供処理を終了すると、制御部１０１は、処理をステップＳ１０１に戻し、このステップＳ１０１以降の処理を繰り返す。また、ステップＳ１０７で、記入済みデータ提供要求を受信してはいないと判別したときにも、制御部１０１は、処理をステップＳ１０１に戻し、このステップＳ１０１以降の処理を繰り返す。
【００７１】
［ペーパーフォームの登録処理ルーチン］
前述のステップＳ１０２のペーパーフォームの登録処理ルーチンの例を、図４のフロー
チャート及び図５、図６を参照しながら説明する。なお、ステップＳ１０１でのペーパーフォーム登録要求の受付には、通信部１０２を通じて、データとしてのペーパーフォーム情報の登録要求を受信した場合と、ペーパーフォームが印刷された用紙が利用者により提供されることに基づくペーパーフォーム登録要求の場合がある。後者の場合には、利用者により提供された用紙が用紙リーダ１０９で読み取られてサーバ装置１に取り込まれる。そして、ペーパーフォーム登録要求を受け付けたときには、サーバ装置１は、利用者を識別するための識別情報（以下、利用者ＩＤという）を付与して、受け付けられた利用者名に対応付けて管理する。
【００７２】
ペーパーフォームの登録処理ルーチンが開始されると、制御部１０１は、図４に示すように、まず、登録するペーパーフォームを取得する（ステップＳ１１１）。続いて、制御部１０１は、取得したペーパーフォームの印刷用及び表示用データを生成する（ステップＳ１１２）。
【００７３】
次に、制御部１０１は、取得したペーパーフォームを解析し、空欄となっている、手書き情報が入力されるべき手書き情報記入領域を検出する（ステップＳ１１３）。さらに、制御部１０１は、取得したペーパーフォームから、検出した手書き情報記入領域の属性を認識すると共に、検出した手書き情報記入領域の領域座標データを取得する（ステップＳ１１４）。
【００７４】
前述したように、この例では、ペーパーフォームが登録される用紙の大きさは、タブレット端末３の位置検出部の位置検出エリアの大きさに対応したものとされていて、この例では、Ａ４サイズとされている。手書き情報記入領域の領域座標データは、このタブレット端末３の位置検出部で検出される座標データに対応している。したがって、ペーパーフォームが印刷された用紙がタブレット端末３の既定の位置に装着されたときには、登録された手書き情報入力領域の座標データは、タブレット端末３の位置検出部の座標データに対応する。
【００７５】
例えば、登録要求されているペーパーフォームが印刷された用紙が図５（Ａ）に示すようなものであった場合について、ステップＳ１１３及びステップＳ１１４の処理を説明する。すなわち、図５（Ａ）の例に示すように、ペーパーフォームには、当該ペーパーフォームが印刷される入力用紙の名称、例えば承諾書、同意書、問診票などを表すフォーム名の表記領域９が設けられていると共に、「名前」、「住所」、「電話番号」、「署名」などの手書き情報記入領域が設定されている。ステップＳ１１３では、これらの手書き情報記入領域を検出する。
【００７６】
そして、ステップＳ１１４では、それぞれの手書き情報記入領域近傍に記載されている、手書き情報記入領域に対応した「名前」、「住所」、「電話番号」、「署名」などの入力項目の文字を判読することで、それぞれの手書き情報記入領域の属性を、例えば、テキスト、英数字、数字、イメージとして取得する。さらに、ステップＳ１１４では、それぞれの手書き情報記入領域を特定する領域座標データを取得する。この場合に、それぞれの手書き情報入力領域は、この例では矩形領域であるので、それぞれの矩形領域の左上の点と、右下の点とで、その領域範囲を特定することができる。すなわち、図５（Ｂ）に示すように、例えば用紙の左上隅Ｐ０を座標の原点としたとき、「名前」、「住所」、「電話番号」、「署名」のそれぞれの手書き情報記入領域は、上記の矩形領域の左上の点と、右下の点との２点のペアである、［Ｐ１（Ｘ１，Ｙ１）、Ｐ２（Ｘ２，Ｙ２）］、［Ｐ３（Ｘ３，Ｙ３）、Ｐ４（Ｘ４，Ｙ４）］、［Ｐ５（Ｘ５，Ｙ５）、Ｐ６（Ｘ６，Ｙ６）］、［Ｐ７（Ｘ７，Ｙ７）、Ｐ８（Ｘ８，Ｙ８）］で特定できる。ここで、基準位置Ｐ０が、タブレット端末３の位置検出部の基準位置と一致すれば、各座標は、タブレット端末３の位置検出部の座標に対応することは容易に理解できる。
【００７７】
なお、上述の例では、それぞれの手書き情報記入領域に対する属性情報あるいは領域座標データは自動的に設定されるものであるが、キーボード、マウスなどを用いて手入力にて設定してもよいことは言うまでもない。
【００７８】
ステップＳ１１４の次には、制御部１０１は、登録要求を受け付けたペーパーフォームにペーパーＩＤを付与する（ステップＳ１１５）。すなわち、この実施形態では、ペーパーＩＤに対応したバーコードを付与するので、制御部１０１は、バーコードデータベース１１０からペーパーフォームのペーパーＩＤに対応付けられたバーコードを取得して、登録要求を受け付けたペーパーフォームのペーパーＩＤとして付与する。
【００７９】
次に、制御部１０１は、付与したペーパーＩＤに対応付けて、ペーパーフォームデータベース１１１に、ペーパーフォームの表示データ及び手書き情報入力領域のデータなどを含む登録データを格納する（ステップＳ１１６）。
【００８０】
図６に、ペーパーフォームデータベース１１１の格納データの例を示す。この図６に示した登録データは、図５の例のペーパーフォームの場合の登録データである。この図６に示すように、登録データとしては、入力用紙の名称を表す、ペーパーフォームのフォーム名（承諾書、同意書、問診票など）と、ペーパーＩＤとしてのバーコードと、利用者ＩＤ及び利用者名と、表示・印刷用データと、手書き情報入力領域の記入領域ＩＤと、手書き情報入力領域の項目名・項目属性と、領域座標データ、などを含む。
【００８１】
ステップＳ１１６の次には、制御部１０１は、データベースに登録した利用者ＩＤを、ペーパーフォームの登録要求してきた利用者に返信して、利用者に登録終了を通知する（ステップＳ１１７）。そして、ペーパーフォームの登録処理についての課金を利用者に対して実行して（ステップＳ１１８）、このペーパーフォームの登録処理ルーチンを終了する。
【００８２】
［ペーパーフォーム印刷要求応答処理ルーチン］
前述のステップＳ１０４のペーパーフォーム印刷要求応答処理ルーチンの例を、図７のフローチャートを参照しながら説明する。
【００８３】
サーバ装置１の制御部１０１は、ペーパーフォーム印刷要求に含まれる利用者ＩＤを取得し（ステップＳ１２１）、ペーパーフォームデータベース１１１に格納されている当該利用者ＩＤに対応付けられているペーパーフォームを読み出し、例えばそのフォーム名の一覧を、要求者側に提供する（ステップＳ１２２）。
【００８４】
これに対しては、利用者は、提供された一覧から印刷すべきペーパーフォームを選択する。制御部１０１は、その利用者によって選択されたペーパーフォームを特定するデータを受け取ったか否か判別する（ステップＳ１２３）。そして、ステップＳ１２３で、選択されたペーパーフォームを特定するデータを受け取ったと判別したときには、制御部１０１は、選択されたペーパーフォームをペーパーフォームデータベース１１１から取得する（ステップＳ１２４）。
【００８５】
次に、制御部１０１は、取得したペーパーフォームに付与されているペーパーＩＤとしてのバーコードを認定し（ステップＳ１２５）、そのバーコードを付加したペーパーフォームの印刷用データを生成して、印刷要求してきた相手側に提供する（ステップＳ１２６）。このステップＳ１２６では、サーバ装置１に備えられているプリンタ２で生成した印刷用データにより手書き情報入力用紙８を印刷して提供することも含む。
【００８６】
このようにして提供される手書き情報入力用紙８の例を図５（Ｂ）に示す。すなわち、図５（Ｂ）の例においては、前述したように、手書き情報入力用紙８の左上端には、ペーパーＩＤとしてのバーコード８ＢＣが印刷されている。
【００８７】
［手書き情報入力開始要求応答処理］
前述のステップＳ１０６の手書き情報入力開始要求応答処理ルーチンの例を、図８のフローチャートを参照しながら説明する。
【００８８】
サーバ装置１の制御部１０１は、手書き情報入力開始要求に含まれるペーパーＩＤを取得し（ステップＳ１３１）、ペーパーフォームデータベース１１１を参照して、当該ペーパーＩＤに対応付けられて登録されているペーパーフォームがあるか否か判別する（ステップＳ１３２）。
【００８９】
このステップＳ１３２で、登録されているペーパーフォームが無いと判別したときには、制御部１０１は、手書き情報入力開始要求の拒否を意味する要求ＮＧを、要求してきた相手に通知し（ステップＳ１３３）、この処理ルーチンを終了する。
【００９０】
また、ステップＳ１３２で、登録されているペーパーフォームがあると判別したときには、制御部１０１は、ペーパーＩＤに対応するペーパーフォームの表示用データを、要求してきた相手に送信する（ステップＳ１３４）。
【００９１】
ステップＳ１３４の次には、制御部１０１は、記入済みデータの格納要求を受信するのを待つ（ステップＳ１３５）。そして、ステップＳ１３５で、記入済みデータの格納要求を受信したと判別したときには、制御部１０１は、ペーパーＩＤに対応付けられたペーパーフォームを利用して入力された手書き情報を、ペーパー記入データメモリ１１２に格納する（ステップＳ１３６）。そして、この処理ルーチンを終了する。
【００９２】
［手書き情報入力装置の実施形態］
前述したように、この実施形態では、手書き情報入力装置は、タブレット端末３と、電子ペン４と、モバイル端末５とからなる。以下に、タブレット端末３と、電子ペン４と、モバイル端末５の構成例について説明する。
【００９３】
＜タブレット端末３の構成例＞
図９及び図１０は、この実施形態におけるタブレット端末３のハードウエア構成例を示す。
【００９４】
［タブレット端末３の外観と基本的な構成］
図９は、この実施形態におけるタブレット端末３の外観を説明するための図である。図９に示すように、この実施形態のタブレット端末３は、電子ペン４による指示入力面を用紙の載置面３Ｓとしている。そして、この例のタブレット端末３は、載置面３Ｓの上端部に、用紙（手書き情報入力用紙８）を挟持してタブレット端末３の指示入力面である載置面３Ｓ上に固定するクリップ部材３１を備え、バインダーなどと呼ばれて広く利用されている文房具と同様の外観を有する。
【００９５】
この実施形態においては、載置面３Ｓの裏面側であるタブレット端末３の内部には、電磁誘導方式の位置検出部３００が搭載されている。タブレット端末３に対して、電子ペン４によって、座標データの入力を行うことができる。電子ペン４は、タブレット端末３の内部に搭載される位置検出部３００と協働することにより、位置検出部３００で受信可能な位置検出用信号を繰り返し送信する機能（座標指示機能）を有する。また、電子ペン４は、視認可能なインクが充填された芯体４Ｓと、当該芯体４Ｓの端部に設けられたチップ
部（ペン先）４Ｔとを有することにより用紙（手書き情報入力用紙８）に視認可能に筆跡を残すことができる機能（ボールペン機能）を有する。
【００９６】
電子ペン４は、この実施形態では、前述したように、電磁誘導方式でタブレット端末３の位置検出部３００のセンサ部と信号を授受することで、その指示位置をタブレット端末３の位置検出部３００で検出させるようにする。この実施形態の電子ペン４の機械的な構成は、芯体がボールペン機能を有する点を除けば、公知の電磁誘導方式の電子ペンの構成を用いることができるので、ここでは、その機械的な構成については図示を省略する。
【００９７】
図９に示したように、タブレット端末３上にクリップ部材３１によって係止された用紙に対して、電子ペン４のボールペン機能を用いて、視覚的に文字や記号を筆記したり、絵を描画したりすることができる。このとき、同時に、電子ペン４の座標指示機能によって電子ペン４から位置検出部３００に向けて送信された信号により、用紙上に形成された筆跡に対応する指示位置の情報としての座標データが位置検出部３００により検出されて電子データとしてモバイル端末５に送信される。この実施形態のタブレット端末３は、モバイル端末５に送信される電子データを一時的に記憶するためのバッファメモリ（一時記憶部）を有する。
【００９８】
そして、タブレット端末３で検出された、電子ペン４が指示する位置の座標データ（筆記データ）は、詳しくは後述するが、タブレット端末３に搭載されたコントローラ及び無線通信部を通じてモバイル端末５に無線送信できるようにされている。したがって、用紙に筆記された情報を、別途、イメージリーダなどにより電子データとして取り込むといった手間をかけることなく、用紙に筆記された情報をリアルタイムに座標データ（筆記データ）として取得することができる。
【００９９】
また、この実施形態のタブレット端末３には、電源ボタン３３が設けられている。タブレット端末３は、図示を省略したが、充電式のバッテリーを備えており、電源ボタン３３がオンとされることで、バッテリーから駆動電圧が供給される。
【０１００】
そして、タブレット端末３のクリップ部材３１は、板状部材の構成部品とバネ部材とで構成されており、板状部材の構成部品には、終了ボタン３４と、パワーインジケータ３５と、通信インジケータ３６と、準備完了インジケータ３７と、ビープスピーカ３８が設けられている。パワーインジケータ３５と、通信インジケータ３６と、準備完了インジケータ３７とは、この例では、ＬＥＤ（Light Emitting Diode）で構成されている。
【０１０１】
パワーインジケータ３５は、電源の投入状態の報知用である。通信インジケータ３６は、タブレット端末３とモバイル端末５との間の無線接続の状態の報知用である。準備完了インジケータ３７は、載置面３Ｓに載置された手書き情報入力用紙８のペーパーフォームが、サーバ装置１に登録されていて、モバイル端末５の表示画面に表示されているかどうかの確認用である。ビープスピーカ３８は、種々の状態をビープ音により利用者に報知するためのもので、前述のインジケータ３５〜３７による報知と併用される場合もある。
【０１０２】
また、クリップ部材３１の板状部材の、載置面３Ｓに載置された用紙と対向する面側には、ペーパーＩＤの読取部の例としてのバーコードリーダ３２が設けられている。さらに、タブレット端末３のクリップ部材３１の板状部材が位置する部分には、用紙がクリップ部材３１により挟持されて係止されている状態であるか否かを検知する用紙装着センサ３９が設けられている。
【０１０３】
この用紙装着センサ３９は、光学的に用紙の装着有無を検出するもので、この例では、載置面３Ｓ側に光源または受光部の一方を配設し、クリップ部材３１の側に光源または受光部の他方を配設し、用紙が装着されたことは、光源と受光部との間が用紙により遮断されているか否かにより、検出する。
【０１０４】
［タブレット端末３のハードウェア構成例］
図１０は、タブレット端末３のハードウエア構成例を説明するための分解構成図である。図１０に示すように、タブレット端末３は、大きく分けると、指示入力面となる載置面３Ｓ側を上側として、上から順番に、図１０（Ｂ）に示す上部カバー（上板）３１１と、図１０（Ｃ）に示す電子ペン４によって指示される位置を検出するためのセンサ３１２と、図１０（Ｄ）に示すシールドシート３１３と、図１０（Ｅ）に示すセンサカバー３１４とを備える。最下部に位置するセンサカバー３１４は、合成樹脂や金属などにより形成され、上面は開口部となっている薄い箱型に構成され、このセンサカバー３１４内にシールドシート３１３とセンサ３１２とが収納される。
【０１０５】
シールドシート３１３は、例えば、ＩＴＯ（Indium Tin Oxide）、酸化亜鉛、酸化錫などにより形成された導電性シートに磁性材料で構成される電磁シートが張り合わされているもので、センサ３１２への不要な信号の混入を防止すると共に、センサ３１２から発生する磁束の漏れをなくす役割をする。シールドシート３１３は、センサ３１２の指示入力面を兼用する載置面３Ｓ側とは反対側の面の全面を覆うように設けられる。
【０１０６】
センサ３１２の構成の詳細については後述するが、電子ペン４に対して信号を送信したり、電子ペン４からの信号を受信したりする多数のループコイルを備えて構成されている。
【０１０７】
上部カバー３１１は、電子ペン４から送信された信号（電波）を透過させる素材、例えば合成樹脂、ガラスやセラミックなどにより形成される。この上部カバー３１１の外部に露呈する面側が、位置検出部の指示入力面を兼用する載置面３Ｓとなる。
【０１０８】
上部カバー３１１が載置される載置面３Ｓの上端部には、図９にも示したように、クリップ部材３１が設けられ、用紙を上部カバー３１１の載置面３Ｓ上（位置検出部の指示入力面上）に挟持されるようにしている。上部カバー３１１は、センサ３１２を覆って保護すると共に、用紙が載置される上板として機能するものである。
【０１０９】
載置面３Ｓの大きさは、用紙のサイズＡ４に応じたものとされており、タブレット端末３は、この例では、センサカバー３１４の壁部が、載置面３Ｓの周囲に突出して、用紙の位置規制部材として働くような大きさとされている。したがって、この例のタブレット端末３においては、用紙を載置面３Ｓに載置したときには、センサカバー３１４の壁部により載置位置が規制されて、クリップ部材３１により係止させた状態では、タブレット端末３の位置検出部のセンサ３１２の指示入力領域と合致するような状態になる。
【０１１０】
用紙は、複数枚が束ねられて所定の厚さを有する状態で、タブレット端末３の上部カバー３１１のクリップ部材３１により挟持される。そして、電子ペン４は電磁誘導方式であるので、所定の厚さの複数枚の用紙が存在しても、センサ３１２との間で、電磁波のやり取りが可能である。
【０１１１】
そして、この例においては、タブレット端末３のクリップ部材３１の、板状部材の載置面３Ｓと対抗する対向面側に設けられているバーコードリーダ３２は、図１０（Ａ）に原理的に示すように、ヒンジ３２Ｈによりクリップ部材３１の対向面に対して可動可能に取り付けられている。これにより、バーコードリーダ３２の読み取り面が、載置面３Ｓに載置された用紙の面に対して常に平行の状態で対向するようになり、バーコードリーダ３２が、手書き情報入力用紙８に印刷されているバーコード８ＢＣを、載置面３Ｓに載置された用紙の厚みにかかわらず、読取精度良く読み取ることができる。
【０１１２】
さらに、図１０（Ｄ）において、シールドシート３１３と共に示したように、シールドシート３１３を挟んでセンサ３１２と対向するように、座標データ生成部３０１とコントローラ３０２とが設けられる。座標データ生成部３０１は、センサ３１２からの出力に基づいて座標データを形成するものである。コントローラ３０２は、主に、座標データ生成部３０１で生成された座標データをモバイル端末５に送出する制御機能を実現する。
【０１１３】
コントローラ３０２は無線通信部を含み、その無線通信部に対して送信アンテナＡＴが設けられている。この送信アンテナＡＴは、モバイル端末５に対して座標データなどを適切に送信できるように、シールドシート３１３によって覆われる領域の外に設けられる。また、コントローラ３０２には、前述した電源ボタン３３や終了ボタン３４、インジケータ３５〜３７、ビープスピーカ３８及び用紙装着センサ３９が、その接続用コネクタ３０３を通じて接続されている。
【０１１４】
［電子ペン４及びタブレット端末３の電子回路構成例］
図１１は、この実施形態の電子ペン４の等価回路と、この電子ペン４と電磁誘導方式により位置検出及び筆圧検出を行うタブレット端末３の位置検出部３００の回路構成例とを示す図である。
【０１１５】
この図１１の例のタブレット端末３の位置検出部３００は、前述したように、センサ３１２と座標データ生成部３０１とコントローラ３０２を備えている。センサ３１２においては、Ｘ軸方向ループコイル群３１２１と、Ｙ軸方向ループコイル群３１２２とが積層されて形成されていると共に、２つのループコイル群３１２１，３１２２のうちの一のループコイルを順次選択する選択回路３１２３が設けられている。
【０１１６】
電子ペン４は、ＩＣ４００で構成される信号制御回路を備えていると共に、このＩＣ４００を駆動するための駆動電圧を、タブレット端末３の位置検出部３００のセンサ３１２に備えられた励磁コイル３１２４から送信された励磁信号から取得するように構成されている。なお、図１１では、一例として、センサ３１２のループコイル群３１２１，３１２２は電子ペン４からの電磁結合信号の受信にのみ用いられるものとして説明するが、電子ペン４との間で電磁結合することで、励磁コイル３１２４に代えて電子ペン４に備えられた信号制御回路を駆動することもできる。また、電子ペン４に備えられた信号制御回路に対して所定の制御データなどの信号が送信される。
【０１１７】
この図１１の例の位置検出部３００のセンサ３１２においては、Ｘ軸方向ループコイル群３１２１と、Ｙ軸方向ループコイル群３１２２とを取り囲むようにして、励磁コイル３１２４が配設されている。図１１においては、励磁コイル３１２４は、２ターンとなっているが、実際的には、より多くのターン数、例えば８〜１０ターンとされている。図１１に示すように、励磁コイル３１２４は、ドライブ回路３０１２に接続され、ドライブ回路３０１２は、周波数ｆｏで発振する発振回路３０１１に接続されている。発振回路３０１１の発振信号は、選択回路３１２３にも供給されている。
【０１１８】
ドライブ回路３０１２は、マイクロコンピュータで構成される処理制御部３０１０により制御される。処理制御部３０１０は、ドライブ回路３０１２を制御して、発振回路３０１１からの周波数ｆｏの発振信号の、励磁コイル３１２４への供給を制御して、励磁コイル３１２４からの電子ペン４への信号送信を制御する。
【０１１９】
選択回路３１２３は、処理制御部３０１０により選択制御されて一つのループコイルを選択する。この選択回路３１２３により選択されたループコイルに発生する誘導電圧は、受信アンプ３０１３にて増幅され、バンドパスフィルタ３０１４に供給され、周波数ｆｏの成分のみが抽出される。バンドパスフィルタ３０１４は、その抽出した成分を検波回路３０１５に供給する。
【０１２０】
検波回路３０１５は、周波数ｆｏの成分を検出し、その検出した周波数ｆｏの成分に応じた直流信号をサンプルホールド回路３０１６に供給する。サンプルホールド回路３０１６は、検波回路３０１５の出力信号を所定のタイミング、具体的には受信期間中の所定のタイミングで保持し、Ａ／Ｄ変換回路３０１７へ送出する。Ａ／Ｄ変換回路３０１７は、サンプルホールド回路３０１６のアナログ出力をデジタル信号に変換し、処理制御部３０１０に出力する。処理制御部３０１０は、前記所定のタイミングの信号をサンプルホールド回路３０１６に供給する。
【０１２１】
そして、処理制御部３０１０は、Ａ／Ｄ変換回路３０１７からのデジタル信号が所定のスレッショールド値を超えた値であるか否かを判定して、選択回路３１２３で選択されているループコイルが電子ペン４で位置指示された位置のループコイルであるか否かを判定し、その判定に基づいて電子ペン４による指示位置を検出する。
【０１２２】
処理制御部３０１０は、また、後述するように、電子ペン４による指示位置の検出とは別に、電子ペン４からの信号の断続を、数ビットのデジタル信号として検出して、筆圧を検出すると共に、ペンＩＤを検出するようにする。そして、処理制御部３０１０は、検出した電子ペン４による指示位置の情報と、検出した筆圧の情報と、検出したペンＩＤとを、互いに対応付けてコントローラ３０２に供給する。
【０１２３】
コントローラ３０２は、カレンダー機能付の時計部３０２１を備え、処理制御部３０１０から受け取った電子ペン４による指示位置の情報と、筆圧の情報と、ペンＩＤとに、時計部３０２１からの時間情報をタイムスタンプとして付加する。そして、コントローラ３０２は、そのタイムスタンプを付加した、電子ペン４による指示位置の情報と、筆圧の情報と、ペンＩＤとを、近距離通信部３０２２からモバイル端末５に無線送信するようにする。
【０１２４】
なお、コントローラ３０２の近距離通信部３０２２は、前述したようにブルートゥース（登録商標）規格の無線通信を用いるものであるが、モバイル端末５との間で無線通信が可能となっているか否かを判断する機能を備えており、コントローラ３０２は、その無線通信が可能となっているか否かの判断結果に応じて、通信インジケータ３６を制御する。
【０１２５】
また、コントローラ３０２は、モバイル端末５との間での後述するような通信を行って、準備完了インジケータ３７を制御するようにする。さらに、コントローラ３０２は、バーコードリーダ３２で読み取られたバーコード情報をモバイル端末５に近距離通信部３０２２から送出する。また、用紙装着センサ３９からのセンサ出力から、用紙が載置面３Ｓに置かれてクリップ部材３１により係止されたことを検知したときには、バーコードリーダ３２を起動するように制御したり、後述するように、モバイル端末５との間での後述するような通信に基づいて、ビープスピーカ３８からのビープ音の放音を制御したりするなど、後述するような種々の制御動作をする。
【０１２６】
電子ペン４の回路構成は、図１１において点線で囲んで示すようなものとなっている。すなわち、インダクタンス素子としてのコイル４０１に並列にコンデンサ４０２が接続されて、共振回路４０３が構成される。そして、この共振回路４０３に並列に、スイッチ４０４が接続されている。このスイッチ４０４は、ＩＣ４００によりオン・オフ制御されるように構成されている。このスイッチ４０４がオフのときには、共振回路４０３によるセンサ３１２からの信号に対する共振動作がなされる。しかし、スイッチ４０４がオンのときには、コイル４０１に並列に接続されているコンデンサ４０２が短絡されて、共振回路４０３によるセンサ３１２からの信号に対する共振動作がオフとなる。
【０１２７】
そして、ＩＣ４００は、共振回路４０３にてタブレット端末３の位置検出部３００のセンサ３１２から電磁誘導により受信した交流信号を、ダイオード４０５及びコンデンサ４０６からなる整流回路（電源供給回路）４０７にて整流して得られる電源電圧Ｖｃｃにより動作するように構成されている。ＩＣ４００は、共振回路４０３とはコンデンサ４０８を介して接続されており、共振回路４０３の動作状況をモニターしている。ＩＣ４００は、共振回路４０３の動作状況をモニターすることで、センサ３１２の励磁コイル３１２４との電磁結合状況に基づいて、あるいは、この例では説明を省略するが、２つのループコイル群３１２１，３１２２を使用して位置検出部３００のセンサ３１２から送信された制御データなどの信号検出に基づいて、所望の動作制御を行うことができるようになっている。
【０１２８】
この実施形態の電子ペン４は、芯体４Ｓに印加される筆圧を、例えば、容量可変コンデンサの静電容量Ｃｖとして検出する感圧素子からなる筆圧検出回路を備えている。ＩＣ４００には、図１１に示すように、この容量可変コンデンサが接続されており、ＩＣ４００は筆圧に応じた静電容量Ｃｖを検出することができるように構成されている。ＩＣ４００は、静電容量Ｃｖの値から電子ペン４における筆圧を検出する。そして、ＩＣ４００は、検出した筆圧を、例えば８ビットのデジタル信号に変換し、その筆圧に対応するデジタル信号により、スイッチ４０４を制御することにより、筆圧の情報を付加情報としてタブレット端末３の位置検出部３００に送信する。
【０１２９】
また、この実施形態の電子ペン４は、図１１に示すように、ペンＩＤを記憶するＩＤメモリ４１０がＩＣ４００に対して接続されて設けられている。そして、ＩＣ４００は、ＩＤメモリ４１０から読み出したペンＩＤによっても、スイッチ４０４を制御することにより、ペンＩＤを付加情報としてタブレット端末３の位置検出部３００に送信する。
【０１３０】
以上のように構成された電子ペン４及びタブレット端末３の位置検出部３００の位置検出動作及び筆圧情報やペンＩＤの検出動作について説明する。
【０１３１】
処理制御部３０１０は、先ず、ドライブ回路３０１２を駆動して励磁コイル３１２４から、所定時間、信号を電子ペン４に送信する。次に、処理制御部３０１０は、選択回路３１２３を制御することでＸ軸方向ループコイル群３１２１のうちの一つのループコイルを順次に選択して、バースト状信号を電子ペン４に送信する。電子ペン４は、そのバースト状信号を共振回路４０３で受信し、タブレット端末３の位置検出部３００のセンサ３１２に返送するようにする。処理制御部３０１０は、その返送されたバースト状信号を位置検出用信号として検出することで、電子ペン４により指示された位置のＸ座標値を求める。
【０１３２】
次に、処理制御部３０１０は、ドライブ回路３０１２を駆動して励磁コイル３１２４から、所定時間、信号を電子ペン４に送信する。次に、処理制御部３０１０は、選択回路３１２３を制御することでＹ軸方向ループコイル群３１２２のうちの一つのループコイルを順次に選択して、バースト状信号を電子ペン４に送信する。電子ペン４は、そのバースト状信号を共振回路４０３で受信し、タブレット端末３の位置検出部３００のセンサ３１２に返送するようにする。処理制御部３０１０は、その返送されたバースト状信号を位置検出用信号として検出することで、電子ペン４により指示された位置のＹ座標値を求める。
【０１３３】
以上のようにして、電子ペン４の指示位置を検出した後に、処理制御部３０１０は、電子ペン４からの付加情報としての筆圧情報及びペンＩＤ情報を検出するため、励磁コイル３１２４から所定時間以上継続した送信を行った後、座標検出の際と同様なタイミングで送受信を付加情報のデジタル信号のビット数に応じた回数継続して行う。このとき、選択回路３１２３では、検出した座標値に従い、電子ペン４から最も近いループコイル（Ｘ軸方向ループコイル，Ｙ軸方向ループコイルのどちらでもよい）を選択して信号を受信する。
【０１３４】
一方、電子ペン４のＩＣ４００は、筆圧検出手段を構成する容量可変コンデンサの静電容量Ｃｖに対応して得られた筆圧情報とペンＩＤ情報とからなる付加情報のデジタル信号により、タブレット端末３の位置検出部３００からの信号の送受信に同期してスイッチ４０４をオン・オフ制御する。スイッチ４０４がオフであるときには、共振回路４０３は、位置検出部３００から送信された信号を位置検出部３００に返送することができるので、位置検出部３００のループコイルはこの信号を受信する。これに対して、スイッチ４０４がオンであるときには共振回路４０３は共振動作が禁止された状態にあり、このために、共振回路４０３から位置検出部３００に信号は返送されず、位置検出部３００のループコイルは信号を受信しない。
【０１３５】
位置検出部３００の座標データ生成部３０１の処理制御部３０１０は、付加情報のデジタル信号のビット数に対応した回数で、受信信号の有無の判別を行うことにより、筆圧情報及びペンＩＤに応じた複数ビットのデジタル信号を受信し、電子ペン４からの筆圧情報及びペンＩＤ情報を検出することができる。したがって、電子ペン４は、筆圧情報とペンＩＤ情報とを、ＡＳＫ（Amplitude Shift Keying）変調した信号として、タブレット端末３の位置検出部３００に送信する。
【０１３６】
［タブレット端末３の処理動作例］
この実施形態のタブレット端末３の処理動作例を、図１２〜図１４のフローチャートを参照しながら説明する。なお、以下に説明する処理は、主としてコントローラ３０２が行う処理である。
【０１３７】
タブレット端末３において、電源ボタン３３により電源が投入されると、コントローラ３０２は、パワーインジケータ３５を点灯状態にする（ステップＳ２０１）。そして、コントローラ３０２は、近距離通信部３０２２の通信状態をチェックして、モバイル端末５との間の通信が可能となっているか否かを判別する（ステップＳ２０２）。モバイル端末５との間の通信が不可であれば、通信インジケータ３６を点滅させて通信が不可である旨を利用者に報知し（ステップＳ２０３）、処理をステップＳ２０２に戻して、モバイル端末５との間の通信が可能な状態になるのを待つ。
【０１３８】
そして、ステップＳ２０２で、モバイル端末５との間の通信が可能となったことを確認すると、コントローラ３０２は、通信インジケータ３６を点滅状態から点灯状態に変え、その旨を利用者に報知する（ステップＳ２０４）。
【０１３９】
次に、コントローラ３０２は、手書き情報入力用紙８が、載置面３Ｓに載置されてクリップ部材３１により係止されて装着されたか否かを、用紙装着センサ３９のセンサ出力から判別する（ステップＳ２０５）。このステップＳ２０５で、手書き情報入力用紙８が載置面３Ｓに載置されてはいないと判別したときには、コントローラ３０２は、電子ペン４による位置指示入力を検知したか否か判別する（ステップＳ２０６）。
【０１４０】
このステップＳ２０６で、電子ペン４による位置指示入力を検知してはいないと判別したときには、コントローラ３０２は、処理をステップＳ２０５に戻し、このステップＳ２０５以降の処理を繰り返す。また、ステップＳ２０６で、電子ペン４による位置指示入力を検知したときには、手書き情報入力用紙８が載置されていないので、ビープスピーカ３８からビープ音を放音して警報報知する（ステップＳ２０７）。そして、コントローラ３０２は、処理をステップＳ２０５に戻し、このステップＳ２０５以降の処理を繰り返す。
【０１４１】
ステップＳ２０５で、手書き情報入力用紙８が載置面３Ｓに載置されたと判別したときには、コントローラ３０２は、準備完了インジケータ３７を点滅状態にする（ステップＳ２０８）。そして、コントローラ３０２は、バーコードリーダ３２により、ペーパーＩＤに対応づけられたバーコードを読み取る（ステップＳ２０９）。
【０１４２】
そして、コントローラ３０２は、バーコードの読み取りが不可であるか否か判別し（図１３のステップＳ２１１）、読み取りが不可であると判別したときには、ビープスピーカ３８からビープ音を発生させて警報報知し（ステップＳ２１２）、その後、処理をステップＳ２１１に戻す。このビープ音の警報報知に応じて、利用者は、手書き情報入力用紙８が正しく装着し直すなど、バーコードの読み取りが可能となるような処置をする。
【０１４３】
そして、ステップＳ２１１で、バーコードの読み取りが可能であると判別したときには、コントローラ３０２は、バーコードリーダ３２で読み取られたバーコード情報（ペーパーＩＤ）を取得して、それをモバイル端末５に送信する（ステップＳ２１３）。
【０１４４】
モバイル端末５は、後述するように、バーコード情報（ペーパーＩＤ）を受け取ると、バーコード情報（ペーパーＩＤ）を含む手書き情報入力開始要求をサーバ装置１に送り、その返信としてサーバ装置１からバーコード情報（ペーパーＩＤ）に対応するペーパーフォーマットを表示するためのペーパーフォーマット表示情報を受け取ったか否か、換言すれば、ペーパーフォーマット表示情報を表示画面に表示できたか否かを判別し、その判別の結果、バーコード情報（ペーパーＩＤ）に対応するペーパーフォーマットが表示画面に表示できたときには、タブレット端末３に対して準備完了インジケータ３７を点滅状態から点灯状態に変えて手書き情報を入力するための準備が完了したことを通知する。
【０１４５】
そこで、コントローラ３０２は、モバイル端末５から準備完了通知を受信したか否か判別し（ステップＳ２１４）、準備完了通知を受信してはいないと判別したときには、電子ペン４による位置指示入力を検知したか否か判別する（ステップＳ２１５）。
【０１４６】
このステップＳ２１５で、電子ペン４による位置指示入力を検知してはいないと判別したときには、コントローラ３０２は、処理をステップＳ２１４に戻し、このステップＳ２１４以降の処理を繰り返す。また、ステップＳ２１５で、電子ペン４による位置指示入力を検知したときは、モバイル端末５が手書き情報の入力準備が完了していない状態にあるのでビープスピーカ３８からビープ音を放音して警報報知する（ステップＳ２１６）。そして、コントローラ３０２は、処理をステップＳ２１４に戻し、このステップＳ２１４以降の処理を繰り返す。
【０１４７】
ステップＳ２１４で、モバイル端末５から準備完了通知を受信したと判別したときには、コントローラ３０２は、点滅していた準備完了インジケータ３７を点灯状態に変えて、手書き情報入力が可能となったことを利用者に報知する（ステップＳ２１７）。
【０１４８】
次に、コントローラ３０２は、電子ペン４による手書き情報入力の検知を待ち（ステップＳ２１８）、電子ペン４による手書き情報入力を検知したと判別したときには、検出した電子ペン４による指示位置の情報を、検知したペンＩＤを対応付けると共に、時計部３０２１から取得した時間情報をタイムスタンプとして付加して、モバイル端末５に送信する（ステップＳ２１９）。この場合に、バーコードリーダ３２で読み取ったバーコード情報（ペーパーＩＤ）は、既にモバイル端末５には送信済みであるので、このステップＳ２１９では送信しなくてもよいが、確認のために、バーコード情報（ペーパーＩＤ）も送信情報に対応付けてモバイル端末５に送信するようにしてもよい。
【０１４９】
次に、コントローラ３０２は、終了ボタン３４が操作されたか否か判別する（図１４のステップＳ２２１）。このステップＳ２２１で、終了ボタン３４が操作されてはいないと判別したときには、コントローラ３０２は、手書き情報入力用紙８が差し替えられたか否かを、用紙装着センサ３９の検出出力に基づいて判別する（ステップＳ２２２）。すなわち、載置面３Ｓに載置されていた用紙が差し替えのために、クリップ部材３１から外されて取り除かれると、用紙装着センサ３９は受光部で発光部の光を受光可能となるので一旦オンとなり、その後、用紙が載置面３Ｓに載置され、クリップ部材３１により係止される状態となると、用紙装着センサ３９は受光部で発光部の光を受光できなくなるのでオフとなって、用紙の差し替えが検出される。
【０１５０】
ステップＳ２２２で、用紙が差し替えられてはいないと判別したときには、コントローラ３０２は、処理を図１３のステップＳ２１８に移行させ、このステップＳ２１８以降の、同じ手書き情報入力用紙８に対する電子ペン４による手書き情報入力についての処理を繰り返す。
【０１５１】
また、ステップＳ２２２で、用紙が差し替えられたと判別したときには、コントローラ３０２は、処理を図１２のステップＳ２０８に移行させ、このステップＳ２０８以降の、手書き情報入力用紙８が載置面３Ｓに載置されたときの処理を繰り返す。
【０１５２】
そして、ステップＳ２２１で、終了ボタン３４が操作されたと判別したときには、コントローラ３０２は、載置面３Ｓに載置されている手書き情報入力用紙８に対する手書き情報入力が終了したとして、その終了通知をモバイル端末５に送信する（ステップＳ２２３）。
【０１５３】
後述するように、モバイル端末５は、この終了通知を受け取ると、載置面３Ｓに載置された手書き情報入力用紙８に対応するペーパーフォームの情報に基づいて、手書き情報入力用紙８に未記入の入力領域があるか否か判別し、未記入の入力領域がなければ終了承認通知をタブレット端末３に対して送信する。また、未記入の入力領域があれば、未記入通知を送信する。
【０１５４】
そこで、コントローラ３０２は、モバイル端末５から終了承認通知を受信したか否か判別し（ステップＳ２２４）、終了承認通知を受信してはいないと判別したときには、未記入通知を受信したか否か判別する（ステップＳ２２５）。このステップＳ２２５で、未記入通知を受信してはいないと判別したときには、コントローラ３０２は、処理をステップＳ２２４に戻して、終了承認通知を待つ。また、ステップＳ２２５で、未記入通知を受信したと判別したときには、ビープスピーカ３８からビープ音を放音して警報報知する（ステップＳ２２６）。そして、コントローラ３０２は、処理を図１３のステップＳ２１８に戻して、未記入の入力領域に対する電子ペン４による手書き入力の完了を待つ。
【０１５５】
そして、ステップＳ２２４で、モバイル端末５から終了承認通知を受信したと判別したときには、コントローラ３０２は、ビープスピーカ３８から終了承認を指示するビープ音を放音する（ステップＳ２２７）。ここで、終了承認のビープ音は、他の警報報知のためのビープ音とは異なるものとされ、例えば警報報知のビープ音が「ビー」という長音である場合には、「ピッ、ピッ」というような短音の連続とされて、互いが識別可能なビープ音で報知される。
【０１５６】
このステップＳ２２７の次には、コントローラ３０２は、電源ボタン３３が操作されて電源オフとされたか否か判別し（ステップＳ２２８）、電源オフとされてはいないと判別したときには、処理をステップＳ２２２に移行させ、このステップＳ２２２以降の処理を繰り返す。また、ステップＳ２２８で、電源オフとされたと判別したときには、コントローラ３０２は、全ての処理ルーチンを終了させた後に電源をオフする。
【０１５７】
なお、利用者は、１枚の手書き情報入力用紙８毎に終了ボタン３４を押すだけではなく、例えば複数ページに亘る手書き情報入力用紙８に対する手書き情報入力を完了した後に、終了ボタン３４を押すことができる。その場合には、後述するように、モバイル端末５は、終了ボタン３４の操作に基づく終了通知を受信するまでの複数ページの手書き情報入力用紙８を１グループの用紙群として取り扱うようにする。
【０１５８】
＜モバイル端末５の構成例＞
図１５は、この実施形態におけるモバイル端末５のハードウェア構成例を示すブロック図である。この例のモバイル端末５は、図１５に示すように、コンピュータで構成される制御部５０１に対して、システムバス５００を通じて、ネットワーク通信部５０２、ネットワーク受信情報処理部５０３、ネットワーク送信情報処理部５０４、近距離通信部５０５、近距離受信情報処理部５０６、近距離送信情報処理部５０７、表示制御部５０８、表示情報生成部５０９、記入データバッファ部５１０、のそれぞれが接続されて構成されている。表示制御部５０８には、例えばＬＣＤ（Liquid Crystal Display；液晶ディスプレイ）からなる表示部５１１が接続されている。
【０１５９】
ネットワーク通信部５０２は、通信ネットワーク６を通じてサーバ装置１と接続するための通信部である。ネットワーク受信情報処理部５０３は、ネットワーク通信部５０２で受信したサーバ装置１からの情報の処理部である。また、ネットワーク送信情報処理部５０４は、ネットワーク通信部５０２を通じてサーバ装置１に送信する情報を生成する処理部である。
【０１６０】
近距離通信部５０５は、タブレット端末３と無線接続するための通信部であって、前述もしたように、この例では、ブルートゥース（登録商標）規格の通信手段で構成される。近距離受信情報処理部５０６は、タブレット端末３から受信する情報の処理部である。また、近距離送信情報処理部５０７は、タブレット端末３へ送信する情報を生成する処理部である。
【０１６１】
表示制御部５０８は、表示部５１１の表示画面に表示する画像の表示制御を行う。表示情報生成部５０９は、ネットワーク受信情報処理部５０３を通じて受信したサーバ装置１からの情報や、近距離受信情報処理部５０６を通じて受信したタブレット端末３からの情報に基づいた表示情報を生成する。
【０１６２】
記入データバッファ部５１０は、タブレット端末３から近距離受信情報処理部５０６を通じて受信する手書き情報を、タブレット端末３から終了指示が到来するまで、ペーパーＩＤやペンＩＤと対応付けて保存するメモリ部である。
【０１６３】
なお、図１５において、ネットワーク受信情報処理部５０３、ネットワーク送信情報処理部５０４、近距離受信情報処理部５０６、近距離送信情報処理部５０７、表示制御部５０８、表示情報生成部５０９の各処理部は、制御部５０１が、ソフトウェアプログラムにより実行する機能処理部の構成とすることができる。
【０１６４】
［モバイル端末５の処理動作例］
次に、この実施形態のモバイル端末５の処理動作例を、図１６及び図１７のフローチャートを参照しながら説明する。なお、以下のモバイル端末５の処理動作は、ネットワーク受信情報処理部５０３、ネットワーク送信情報処理部５０４、近距離受信情報処理部５０６、近距離送信情報処理部５０７、表示制御部５０８、表示情報生成部５０９の各処理部を、制御部５０１が、ソフトウェアプログラムにより実行するソフトウェア機能処理部の構成とした場合として説明する。
【０１６５】
モバイル端末５の制御部５０１は、タブレット端末３からのペーパーＩＤとしてのバーコード情報を受信したか否か判別する（ステップＳ３０１）。このステップＳ３０１で、タブレット端末３からバーコード情報を受信してはいないと判別したときには、制御部５０１は、その他の処理を行い（ステップＳ３０２）、その処理が終了した後、ステップＳ３０１に処理を戻す。
【０１６６】
ステップＳ３０１で、タブレット端末３からバーコード情報を受信したと判別したときには、サーバ装置１に、受信したペーパーＩＤとしてのバーコード情報を含めた手書き情報入力開始要求を送信する（ステップＳ３０３）。
【０１６７】
この手書き情報入力開始要求を受けたサーバ装置１は、前述したように、この手書き情報入力開始要求に含まれるペーパーＩＤとしてのバーコード情報に対応するペーパーフォームが登録されていれば、そのペーパーフォームの情報をモバイル端末５に送信し、対応するペーパーフォームが登録されていなければ、そのペーパーフォームの情報はモバイル端末５に送信できない旨を示す情報として要求ＮＧをモバイル端末５に送信する。
【０１６８】
モバイル端末５の制御部５０１は、ペーパーフォームの情報を受信できたか否か判別し（ステップＳ３０４）、モバイル端末５が受信できずに要求ＮＧを受信したときには、ペーパーフォームの受信が不可であった旨をタブレット端末３に通知する（ステップＳ３０５）。
【０１６９】
そして、ステップＳ３０４で、ペーパーフォームの情報を受信できたと判別したときには、制御部５０１は、受信したペーパーフォームの情報の内のペーパーフォームの表示データを用いて、ペーパーＩＤに対応するペーパーフォームを、表示部５１１の表示画面に表示する（ステップＳ３０６）。そして、ペーパーＩＤに対応するペーパーフォームが表示部５１１で表示されたら、制御部５０１は、タブレット端末３に、近距離通信部５０５を通じて準備完了通知を送信する（ステップＳ３０７）。
【０１７０】
次に、制御部５０１は、タブレット端末３からの、電子ペン４による手書き情報としての位置指示情報を、近距離通信部５０５を通じて受信したか否か判別する（ステップＳ３０８）。
【０１７１】
そして、ステップＳ３０８で、タブレット端末３から電子ペン４による位置指示情報を受信したと判別したときには、制御部５０１は、サーバ装置１から受信したペーパーフォームの情報に含まれる、ペーパーフォームの入力領域の領域座標データを参照して、受信した電子ペン４による位置指示情報の座標データが、いずれの入力領域への手書き情報であるかを判定する（ステップＳ３０９）。
【０１７２】
そして、制御部５０１は、表示部５１１の表示画面に表示されているペーパーフォームにおける、対応する入力領域に、受信した手書き情報を表示すると共に、対応する入力領域の属性情報に対応付けて、受信した手書き情報を記入データバッファ部５１０に記憶する（ステップＳ３１０）。
【０１７３】
ステップＳ３１０の次には、制御部５０１は、タブレット端末３から終了通知を受信したか否か判別し（図１７のステップＳ３１１）する。また、ステップＳ３０８で、タブレット端末３から電子ペン４による位置指示情報を受信しなかったときにも、制御部５０１は、ステップＳ３１１に進んで、タブレット端末３から終了通知を受信したか否か判別する。
【０１７４】
そして、ステップＳ３１１で、タブレット端末３から終了通知を受信してはいないと判別したときには、制御部５０１は、タブレット端末３からペーパーＩＤを受信したか否か判別する（ステップＳ３１２）。このステップＳ３１２で、タブレット端末３からペーパーＩＤを受信してはいないと判別したときには、制御部５０１は、処理を図１６のステップＳ３０８に戻し、このステップＳ３０８以降の処理を繰り返す。また、ステップＳ３１２で、タブレット端末３からペーパーＩＤを受信したと判別したときには、制御部５０１は、処理を図１６のステップＳ３０３に戻し、このステップＳ３０３以降の処理を繰り返す。
【０１７５】
ステップＳ３１１で、タブレット端末３から終了通知を受信したと判別したときには、制御部５０１は、記入データバッファ部５１０の記憶情報を参照して、タブレット端末３から受信したペーパーＩＤに対応したペーパーフォームの入力領域に対して必要な手書き情報を全て得たか否かを確認することで、記入が必須とされた、未記入の入力領域があるか否かを判別する（ステップＳ３１３）。このステップＳ３１３では、タブレット端末３から終了通知を受信するまでに複数個のペーパーＩＤを受信している場合には、それら複数個のペーパーＩＤに対応する複数のペーパーフォームの全てについて、未記入の入力領域があるか否かを判別するものである。
【０１７６】
ステップＳ３１３で、記入が必須とされた未記入の入力領域があると判別したときには、制御部５０１は、未記入の入力領域がある旨の通知をタブレット端末３に送信する（ステップＳ３１４）。タブレット端末３では、この通知を受信すると、ビープ音により警報報知するので、利用者は、未記入の入力領域を見つけて電子ペン４による手書き情報を入力できる。モバイル端末５の制御部５０１は、その手書き情報が入力可能なように、ステップＳ３１４の次には、処理を図１６のステップＳ３０８に移行させ、このステップＳ３０８以降の処理を繰り返す。
【０１７７】
ステップＳ３１３で、未記入の入力領域がないと判別したときには、制御部５０１は、終了承認の通知をタブレット端末３に送信する（ステップＳ３１５）。次に、制御部５０１は、ペーパーＩＤに対応付けて、記入データバッファ部５１０に記憶されている手書き情報をサーバ装置１に送信する（ステップＳ３１６）。このとき、記入データバッファ部５１０に、複数個のペーパーＩＤに対応付けられて記入された情報があれが、それらは連続するページの情報であるとして、グループ化して、例えばグループＩＤなどを付加して送信する。そして、制御部５０１は、この処理ルーチンを終了する。
【０１７８】
［実施形態の効果］
以上説明したように、上述の実施形態の手書き情報入力装置においては、タブレット端末３においてクリップ部材３１により係止された手書き情報入力用紙８に印刷されているペーパーフォームの電子データが存在し、モバイル端末５の表示画面に表示可能であることが確認されたときに、クリップ部材３１により係止された手書き情報入力用紙８への電子ペン４による手書き情報入力が可能となる。このため、手書き情報入力用紙８への電子ペン４による手書き情報が入力されたときには、それに対応する電子データが得られることが保証される。したがって、従来のように、用紙に手書き入力をしたが、対応する電子データが得られない場合があるという事態は生じない。
【０１７９】
そして、上述の実施形態によれば、手書き情報入力用紙８には、ペーパーＩＤに対応した情報、例えばバーコードが印刷されていれば良いので、アノトパターン（ドットパターン）を用いた専用の用紙などを用いる必要はなく、また、電子ペンも、特殊なデジタルペンを用いる必要がないので、安価に構成することができるという効果がある。
【０１８０】
［上述の実施形態の変形例］
＜モバイル端末５の変形例＞
上述の実施形態の手書き情報入力装置を構成するモバイル端末５においては、タブレット端末３からの電子ペン４による位置指示情報である手書き情報を、文字認識あるいは画像認識する文字認識エンジンあるいは画像認識エンジンは備えていなかったが、そのようなエンジンをモバイル端末５が搭載している場合には、当該モバイル端末５で、以下に説明するような文字認識処理あるいは画像認識処理が可能となる。
【０１８１】
すなわち、ペーパーフォームの情報には、それぞれの項目に入力するための入力領域と、この入力領域の位置を示す位置情報と、入力領域の属性あるいは入力領域に入力される情報の属性、すなわち、入力領域への情報入力が必須か否か、入力された入力領域に依存して入力される他の入力領域との依存性、あるいは、入力領域に入力される情報が、テキスト、数字、ブーリアン（真又は偽）、署名であるか否か、あるいはどの国の言語であるか否かの属性が入力フォームを構成するそれぞれの入力領域に関連付けられて定義されており、サーバ装置１のペーパーフォームデータベース１１１に登録されて参照できるようになっている。
【０１８２】
用紙へ手書き情報を入力する際に、入力者が誤記した場合には、誤記した部分に電子ペンで二重線を重ねたり、四角で囲んで×印を入力したりなどするなど、誤記を指示する筆記ジェスチャ行うと共に、その入力領域の近傍に、誤記した文字などの代替文字入力をすることが多々ある。この場合に代替入力をした文字などは、手書き情報入力用紙８の入力領域の枠外に筆記されることも多い。
【０１８３】
以下に説明する例では、モバイル端末５が誤記を指示する筆記軌跡（筆記ジェスチャ）を認識する機能を備えていると共に、手書き情報入力用紙８の入力領域の枠外に筆記した代替入力を、その入力領域に対する手書き情報として認識することができるように構成する。そのように構成したモバイル端末５における誤記処理の流れを、図１８のフローチャートを参照して説明する。
【０１８４】
すなわち、図１８の例においては、制御部５０１は、誤記を指示する筆記軌跡を検知したか否か判別する（ステップＳ３２１）。このステップＳ３２１で、誤記を指示する筆記軌跡は検知してはいないと判別したときには、制御部５０１は、前述したように、電子ペン４による手書き情報を表示画面に表示し（ステップＳ３２２）、記入データバッファ部５１０に記憶する（ステップＳ３２３）。そして、制御部５０１は、処理をステップＳ３２１に戻す。
【０１８５】
ステップＳ３２１で、誤記を指示する筆記軌跡を検知したと判別したときには、制御部５０１は、誤記を指示する筆記軌跡及び、その誤記が指示された入力情報を、例えば誤記を指示する筆記軌跡には特定のフラグを設定することで、このフラグの有無に基づいて誤記が指示された入力情報は異なる表示色で表示するなど、識別可能な表示を行う（ステップＳ３２４）。そして、誤記を指示する筆記軌跡及び、誤記が指示された入力情報を記入データバッファ部５１０に記憶する（ステップＳ３２５）。
【０１８６】
次に、制御部５０１は、誤記が指示された入力情報の代替入力があるか否かを判別する（ステップＳ３２６）。この判別は、代替入力された情報に付加されているタイムスタンプが、誤記を指示する筆記軌跡のタイムスタンプの直後であるか否か、または代替入力された情報の座標位置が、誤記が指示された入力情報が存在する入力領域の近傍であるか否か、あるいは両方を判断することによりなされる。なお、代替入力が入力領域内でなされれば、その代替入力は、この図１８の処理を経ずに、入力領域への手書き情報として表示され、記憶されるのは言うまでもない。
【０１８７】
このステップＳ３２６で、誤記が指示された入力情報の代替入力が無いと判別したときには、制御部５０１は、処理をステップＳ３２１に戻す。また、ステップＳ３２６で、誤記が指示された入力情報の代替入力があると判別したときには、制御部５０１は、その誤記が指示された入力情報の代替入力を当該入力領域の属性情報を参照することで、その代替入力がたとえ当該入力領域の枠外であっても当該入力領域に入力されるべき情報であると認識して、記入データバッファ部５１０に記憶する（ステップＳ３２７）。そして、制御部５０１は、処理をステップＳ３２１に戻す。
【０１８８】
以上のようにして、入力領域の枠外に代替入力がされたとしても、その代替入力の情報は、当該入力領域内に記入されるべき情報として認識されて記憶される。
【０１８９】
また、モバイル端末５が、手書き情報を文字などの電子データに変換する文字認識エンジンを備えている場合には、ペーパーフォームの各入力領域へ入力される手書き情報について、その属性情報を参照することで、誤って記入されている場合には、その旨を利用者に通知することできる。例えば、電話番号の記入領域には、数字や記号が記載されるはずであるが、テキストが記入されたことが認識された場合には、それを記入エラーと判断することができる。
【０１９０】
図１９は、そのように構成した場合のモバイル端末５における処理の流れの例を説明するためのフローチャートである。
【０１９１】
モバイル端末５の制御部５０１は、タブレット端末３からの電子ペン４による位置指示情報から、当該電子ペン４による位置指示情報に対応する入力領域の属性を判断する（ステップＳ３３１）。
【０１９２】
次に、判断した入力領域の属性を参照して、当該入力領域への電子ペン４による手書き情報に対する認識処理を行うことで、例えば文字データを認識し、文字間違いや、文字データがその入力領域に適切であるかどうかを監視する（ステップＳ３３２）。
【０１９３】
そして、制御部５０１は、手書き入力された文字が、その入力領域に適合しているか否か判別し（ステップＳ３３３）、適合していないと判別したときには、その旨をタブレット端末３に通知（エラー通知）する（ステップＳ３３５）。タブレット端末３では、このエラー通知を受けると、ビープ音により、それを利用者に報知する。
【０１９４】
また、ステップＳ３３３で、入力領域に適合していると判別したときには、制御部５０１は、手書き入力された文字が間違いであるか否か判別し（ステップＳ３３４）、間違いであると判別したときには、その旨をタブレット端末３に通知（エラー通知）する（ステップＳ３３５）。タブレット端末３では、このエラー通知を受けると、ビープ音により、それを利用者に報知する。そして、ステップＳ３３４及びステップＳ３３５の次には、制御部５０１は、処理をステップＳ３３１に戻して、このステップＳ３３１以降の処理を繰り返す。
【０１９５】
タブレット端末３から送信された入力情報に対し、ペーパーフォームを構成するそれぞれの入力領域に対応した属性情報を参照することで、入力者（記入者）が使用する電子ペンに割り振られたペンＩＤに基づいて、それぞれの入力領域への入力に対する可否権限とか、特定の入力領域への入力に対してはその他の入力領域への入力が限定的になるとかなどの入力領域間の依存性、あるいは文字認識あるいは画像認識する際の認識精度の向上、入力された情報の適切性、などの処理を行うことができる。
【０１９６】
なお、図１８及び図１９を用いて説明した文字認識エンジンや画像認識エンジンを用いた文字認識処理や画像認識処理は、手書き情報入力用紙を用いずに、表示画面の前面側または裏面側にセンサを有する位置検出部を備える電子機器においても、同様に行うことができる。
【０１９７】
すなわち、図２０は、この種の電子機器の一例としてのパッド型端末１５００を示すものであり、この例では表示画面１５０１の裏面側に、センサを有する位置検出部１５０２を備える。そして、このパッド型端末１５００に付属する電子ペン４Ｎにより表示画面１５０１で位置指示入力をすると、位置検出部１５０２で電子ペン４Ｎの位置指示入力を検出することができる。この場合に、位置検出部１５０２と、電子ペン４Ｎとは、電磁誘導方式のものであってもよいし、センサが表示画面１５０１の前面側に配置された静電容量方式のものであってもよい。また、この場合には、電子ペン４Ｎは、用紙へ筆記するためのボールペンや鉛筆の機能を備えている必要はない。
【０１９８】
この例のパッド型端末１５００は、電子ペン４Ｎによる手書き情報入力を受け付けることができ、その入力された手書き情報を文字認識あるいは画像認識する文字認識エンジンあるいは画像認識エンジンを備えている。
【０１９９】
図２０の例においては、パッド型端末１５００は、通信ネットワークを通じて所定のサーバ装置から、図示のようなページフォーム（ペーパーフォームに対応）のデータを取得して、表示画面１５０１に表示している状態を示している。この図２０の例のページフォームは、手書き情報入力を要求するものであり、その手書き情報入力をするための入力領域の座標領域データ及びそれぞれの入力領域の属性情報を、バッド型端末１５００は、ページフォームのデータに含めて取得している。
【０２００】
電子ペン４Ｎの使用者は、表示画面１５０１に表示されているページフォームの記載事項に応じた手書き情報入力を、表示画面１５０１を通じて行う。なお、この場合に、図２０において点線で示した枠は、表示画面１５０１には、表示されていてもよいし、表示されていなくてもよい。使用者は、ページフォームの記載事項の指示に応じて、表示画面１５０１の空欄の領域に手書き情報入力をする。
【０２０１】
このときに、パッド型端末１５００では、上述の図１８及び図１９を用いた処理と同様の処理をすることできる。すなわち、それぞれの入力領域に入力された手書き情報に対する文字認識あるいは画像認識を行う際に、手書き情報入力をするための入力領域の属性情報を参照する。
【０２０２】
この場合に、図１８の処理では、誤記をしたときの代替入力についてのみ説明したが、この図２０の例においては、使用者が電子ペン４Ｎを用いて空欄に手書き情報入力をしたときに、予め設定されている座標範囲の入力領域から食み出して手書き情報が入力されたとしても、属性情報としての、手書き情報入力をするための入力領域の位置を示す座標位置の情報を参照して判断することで、互いが近傍に位置する複数の入力領域が配置されていたとしても、座標位置を比較することで本来入力すべき入力領域を特定し、この入力領域に入力された手書き情報を関連付けることができる。手書き入力された情報に付加されているタイムスタンプが、その直前の筆記軌跡のタイムスタンプの直後であるか否か、または代替入力された情報の座標位置が、設定されている入力領域の近傍であるか否か、あるいはその両方の情報を参照することもできる。
【０２０３】
入力領域に入力すべき情報が、例えば、テキストなのか数字なのかを示す属性情報を備えている場合には、入力領域に入力された手書き情報を文字認識する際に、この属性情報を参照することで認識率を向上させることができる。
【０２０４】
また、図１９の処理と同様の処理をすることで、例えば使用者の手書き情報入力が適切な入力ではないと判断したときには、再入力を促すなどの対応をすることができる。なお、図２０の例では、表示画面１５０１に表示されている「確認」のアイコン１５０３を使用者がクリックすることで、各入力領域への手書き情報が適切であるか否かを確認することができる。
【０２０５】
＜タブレット端末３の変形例＞
上述のタブレット端末３においては、手書き情報入力用紙８は、クリップ部材３１に設けられている読取部としてのバーコードリーダ３２により、ペーパーＩＤとしてのバーコードが正しく読み取れるように、タブレット端末３のセンサカバー３１４の壁部により位置規制されて、載置面３Ｓの適切な位置に係止されるようにした。
【０２０６】
しかし、ペーパーＩＤは、他の方法によって、読み取ることできるように構成することもでき、その場合には、タブレット端末において、手書き情報入力用紙８についての位置規制部材が存在しない、位置規制部材が存在しても、手書き情報入力用紙８に印刷されているペーパーフォームとタブレット端末の位置検出部の座標位置とがずれる場合もある。
【０２０７】
そこで、以下に説明するタブレット端末では、載置面３Ｓに載置された手書き情報入力用紙８と、位置検出部の座標位置とがずれていても、モバイル端末では、ペーパーフォームの本来の入力領域への手書き情報として認識することができるように構成する。
【０２０８】
図２１は、そのように構成したタブレット端末３Ａの要部の構成例を示すものである。この例のタブレット端末３Ａにおいては、手書き情報入力用紙８Ａの、タブレット端末３Ａの載置面３ＳＡにおける載置位置ずれを検知するための複数個、この例では、５個のセンサ９１，９２，９３，９４，９５が、載置位置が適切か否かを検出するための載置位置検出回路として備えられている。この例では、センサ９１〜９５は、いずれも光学センサで構成されている。
【０２０９】
そして、センサ９１及び９２は、タブレット端末３Ａのクリップ部材３１Ａの右端に、上下に並べられて配置されている。また、センサ９３及び９４は、タブレット端末３Ａのクリップ部材３１Ａの左端に、上下に並べられて配置されている。また、センサ９５は、タブレット端末３Ａの載置面３ＳＡのクリップ部材３１Ａの外側の位置に配置されている。
【０２１０】
センサ９１〜９４は、前述した用紙装着センサ３９と同様に、クリップ部材３１Ａに係止される用紙により光の受光が妨げられる光源と受光部とからなる。そして、センサ９５は、用紙で覆われたときに、それを検出することができる光学センサとされている。これらのセンサ９１〜９５の配置間隔は、予め定められていて既知とされている。
【０２１１】
この例においては、用紙のずれは、左端を基準として検出するものとしており、左側の３個のセンサ９３，９４，９５は、用紙の左エッジ検出用及び上下検出用である。また、右側のセンサ９１，９２は左端基準での右方傾き無し検出用である。
【０２１２】
この例では、これら５個のセンサ９１〜９５により、載置面３ＳＡに載置される手書き情報入力用紙８Ａの載置位置の、図２１において、実線８Ｓで示すタブレット端末３Ａの位置検出部の座標位置との適合位置からのずれを検出することができる。例えば、図２１において、一点鎖線で示すような位置に、手書き情報入力用紙８Ａが載置されたときには、センサ９１〜９５からのセンサ出力から、位置ずれのオフセット値として、（ΔＸ，ΔＹ）が得られる。また、センサ９１〜９４の内の少なくとも１つのセンサは、手書き情報入力用紙８Ａが載置面３ＳＡに載置されているか否かを検出する用紙載置有無検出回路として機能するものであり、この用紙載置有無検出回路によって手書き情報入力用紙８Ａが載置面３ＳＡに載置されていないことが検出された場合には、位置検出部の動作を停止させて、または記位置検出部で検出された前記電子ペン４が指示する位置の情報を表示部で表示不可とすることで、手書き情報入力用紙８Ａが載置面３ＳＡに載置されていない場合には、電子ペン４が指示する位置の情報が表示部で表示されないようにする処理部を備えている。
【０２１３】
そこで、この例のタブレット端末３Ａは、位置検出部で検出した電子ペン４の指示位置の座標に対して、位置ずれのオフセット値（ΔＸ，ΔＹ）を加算あるいは減算して検出位置の補正処理を行った後にモバイル端末５に送信する。あるいは、センサ出力をモバイル端末５に送信し、モバイル端末５で検出位置の補正処理を行うこともできる。モバイル端末５では、位置ずれのオフセット値（ΔＸ，ΔＹ）が加味されて位置補正された、電子ペン４が位置指示した座標情報に基づいて、ペーパーフォームのいずれの入力領域への入力情報であるかを判断する。したがって、手書き情報入力用紙８Ａが、タブレット端末３Ａの載置面３ＳＡにおいて、タブレット端末３Ａの位置検出部の座標位置との位置ずれがある状態で載置されたとしても、モバイル端末５では、適切にペーパーフォームのいずれの入力領域への手書き情報であるかを正しく判定することができる。
【０２１４】
［その他の実施形態または変形例］
上述の実施形態のタブレット端末３においては、載置面３Ｓに手書き情報入力用紙８が載置されてクリップ部材３１により係止されたことは、用紙装着センサ３９により検出するようにした。しかし、読取部の例を構成するバーコードリーダ３２により常時バーコードを読み取ることができたか否かを監視することで、載置面３Ｓに手書き情報入力用紙８が載置されてクリップ部材３１により係止されたか否かを検出するようにすることもできる。この場合には、用紙が差し替えられたことを、同様に検出することができる。さらに、タブレット端末は、スタンバイ状態でバーコードリーダ３２によりバーコードを読み取ることができたか否かを監視するようにし、バーコードを読み取ることができたときに、メイン電源を投入するように構成することできる。
【０２１５】
また、上述の実施形態では、載置面３Ｓに手書き情報入力用紙８が載置されてクリップ部材３１により係止されたことは、用紙装着センサ３９により検出するようにしたが、クリップ部材３１の開閉を検出するセンサを設けておき、そのセンサで、クリップ部材３１が開閉されたときに、手書き情報入力用紙８が装着されたとして、バーコードリーダ３２によりバーコードの読み取りを行わせるように構成してもよい。
【０２１６】
なお、例えば病院などでは、問診票、手術や検査の際の同意書や承諾書、回診記録書など多種多様な文書フォームが存在し、その文書フォームには、患者、看護師、医師等がそれぞれ手書き入力する入力領域が存在する。その場合に、患者、看護師、医師のそれぞれが使用する電子ペンは、それぞれが所持する電子ペンとなるので、各人が固有のペンＩＤを有することとなるために、同じ一つのペーパーフォームにおいても、異なるペンＩＤの電子ペンで手書き情報を入力することができる。異なるペンＩＤの電子ペンを使用する場合、上述の実施形態においては、手書き情報入力は、ペンＩＤに対応付けられてモバイル端末に送信されるので、モバイル端末では、例えばペンＩＤ毎に異なる文字色を割り当てるなど、異なる表示態様で、その手書き情報を表示することができるためどのペンＩＤの電子ペンで入力されたかが容易に判別できる。
【０２１７】
また、ペーパーフォームが備えるそれぞれの入力領域に対して手書き入力することができる者が制限されている場合には、その入力領域の属性情報として、手書き入力する者を制限する情報を割り当てることで、上述のようにペンＩＤにより手書き入力された情報を区別して表示するのではなく、入力領域毎に、手書き情報の表示色などの表示態様を変えるようにすることもできる。
【０２１８】
なお、署名が入力される入力領域であることは入力領域の属性情報から判断できるが、この署名が入力される入力領域への手書き情報については、セキュリティ対策のために、暗号化などの処理をして、データベースに記憶するようにするのが好ましい。暗号化処理をした上でデータ転送処理を行うことを指示する属性情報を、署名が入力される入力領域に対応付けて登録することもできる。
【０２１９】
また、上述の実施形態では、複数枚の手書き情報入力用紙８をグループ化する場合には、タブレット端末における終了指示に基づくようにしたが、予め、サーバ装置１に登録する際に、複数ページからなる手書き情報入力用紙８を１グループとして登録するようにしてもよい。その場合には、モバイル端末は、その複数ページの手書き情報入力用紙８への手書き情報入力が完了するまでは、タブレット端末からの終了指示を許可しないようにする。
【０２２０】
なお、上述の実施形態では、手書き情報入力装置は、タブレット端末とモバイル端末との組み合わせにより構成するようにしたが、両端末の機能を備える１台の装置の構成とすることも可能である。その場合の表示画面は、載置面と共通にしてもよいし、載置面とは別領域としてもよい。表示画面を載置面と共通にする場合、すなわち、表示画面の上に用紙を載置する場合には、用紙をめくるようにして、表示画面に表示される入力情報を確認することが可能である。
【０２２１】
なお、上述の実施形態では、ペーパーフォームの登録を受け付ける装置と、手書き情報入力情報を記憶する装置とは、同じサーバ装置としたが、別々の装置としてもよいことは言うまでもない。
【０２２２】
また、上述の実施形態の手書き情報入力装置では、タブレット端末と接続される装置は、モバイル端末としたが、固定的に設置されている例えばパソコンなどであってもよい。また、タブレット端末と接続される装置は、上述したモバイル端末の機能と、ペーパーフォームデータベースと、ペーパー記入データ格納部を備えるサーバ装置１のモバイル端末とのやり取りをする機能部分を備えた装置で構成されていてもよい。
【０２２３】
また、サーバ装置１の、ペーパーフォームデータベース及びペーパー表示情報提供部を備える部分と、格納処理部及びペーパー記入データ格納部を備える部分とは、別の装置であってもよい。
【０２２４】
また、電子ペン及びタブレット端末は、上述の実施形態では、電磁誘導方式のものを用いたが、静電容量方式や、その他の結合方式のものでもよいことは言うまでもない。
【０２２５】
また、タブレット端末のクリップ部材の構成は、上述の実施形態の例の限らず、用紙を挟んで係止あるいは固定させることができれば、どのようなものであってもよい。
【０２２６】
また、ペーパーＩＤの読取部は、クリップ部材に設けることは必須ではなく、例えばタブレット端末にケーブルを介して読取部（例えばバーコードリーダ）を設け、その読取部（バーコードリーダ）で用紙のペーパーＩＤ（バーコード）を読み取るようにすることもできる。
【０２２７】
また、バーコードは、ペーパーＩＤの一例であり、手書き情報入力用紙を識別することが可能な読み取り装置であれば、どのようなものであってもよい。
【符号の説明】
【０２２８】
１…サーバ装置、２…プリンタ、３…タブレット端末、３Ｓ…載置面、４…電子ペン、５…モバイル端末、６…通信ネットワーク、８…手書き情報入力用紙、３１…クリップ部材、３２…バーコードリーダ
【手続補正４】
【補正対象書類名】図面
【補正対象項目名】図４
【補正方法】変更
【補正の内容】
【図４】
2018037033.tif 000001
【手続補正５】
【補正対象書類名】図面
【補正対象項目名】図８
【補正方法】変更
【補正の内容】
【図８】
2018037033.tif 000002
【手続補正６】
【補正対象書類名】図面
【補正対象項目名】図１１
【補正方法】変更
【補正の内容】
【図１１】
2018037033.tif 000003
【手続補正７】
【補正対象書類名】図面
【補正対象項目名】図１３
【補正方法】変更
【補正の内容】
【図１３】
2018037033.tif 000004
【手続補正８】
【補正対象書類名】図面
【補正対象項目名】図１９
【補正方法】変更
【補正の内容】
【図１９】
2018037033.tif 000005
【手続補正９】
【補正対象書類名】図面
【補正対象項目名】図２０
【補正方法】変更
【補正の内容】
【図２０】
2018037033.tif 000006